(57)【要約】【課題】ローカルコンテンツリダイレクトのためのマッピングサービスの提供。【解決手段】パケットデータネットワークゲートウェイ後に位置するモバイルコアネットワーク内のマッピングサービスは、第１のＰＤＮ接続を横断するユーザ機器からのコンテンツ要求を調べ、コンテンツ要求に関連付けられたコンテンツがパケットデータネットワークの外側のエッジサーバにキャッシュされているかどうかを決定する。パケットデータネットワークからのコンテンツがエッジサーバにキャッシュされている場合、マッピングサービスは、ユーザ機器をリダイレクトし、第２のＰＤＮ接続を横断してエッジサーバからのコンテンツを要求する。パケットデータネットワークゲートウェイ後に位置するマッピングサービスを使用することによって、コンテンツ要求は、ペアレンタルコントロール等の制限をすでにパスしたものであり得る。【選択図】図３
2019024261.tif 000002
【特許請求の範囲】
【請求項１】
明細書に記載された発明。
【発明の詳細な説明】
【背景技術】
【０００１】
第３世代パートナーシッププロジェクト（３ＧＰＰ）は、無線アクセス、コアトランスポートネットワーク、およびサービス能力を含むセルラー電気通信ネットワーク技術を対象とする。ワイヤレス通信のための３ＧＰＰモバイルコアネットワーク（ＭＣＮ）アーキテクチャの最新バージョンは、進化型パケットコア（ＥＰＣ）と称される。進化型パケットコア（ＥＰＣ）は、性能およびコストの視点から、データトラフィックを効率的に取り扱うための「フラットアーキテクチャ」を有する。ＥＰＣはまた、ユーザデータ（ユーザプレーンとしても知られる）および信号伝達（制御プレーンとしても知られる）を分離し、ＥＰＣの制御プレーンおよびデータプレーンが独立してスケーリングすることを可能にする。
【０００２】
図１は、ＥＰＣ等のモバイルコアネットワーク（ＭＣＮ）１０２に接続可能であって、かつＬ−ＧＷ１３０を通してローカルネットワーク１２８に接続可能であるユーザ機器（ＵＥ）１０４（例えば、携帯電話または他のワイヤレスデバイス）を図示する基本アーキテクチャ略図である。
【０００３】
この略図では、ＵＥ１０４は、スモールセルアクセスポイント（ＳＣ−ＡＰ）１０６に接続する。スモールセルアクセスポイント（ＳＣ−ＡＰ）１０６は、モバイルマクロセルと比較して小さい範囲を伴う小電力型無線アクセスノードである。スモールセルアクセスポイント（ＳＣ−ＡＰ）１０６は、屋内または小規模公共ホットスポット等の小さなサービスエリア内における展開のために設計されることができる。スモールセルは、約１０メートルの範囲を有するフェムトセルを含む。３ＧＰＰでは、ＳＣ−ＡＰは、３ＧフェムトセルであるホームノードＢ（ＨＮＢ）と、ＬＴＥ（ロング・ターム・エボリューション）フェムトセルであるホームｅノードＢ（ＨｅＮＢ）とを含む。
【０００４】
セキュリティゲートウェイ（ＳｅＧＷ）１０８が、ＭＣＮ１０２内に示される。セキュリティゲートウェイ１０８は、ＳＣ−ＡＰ１０６とＩＰＳｅｃトンネル１１０を確立する。インターネットプロトコルセキュリティ（ＩＰｓｅｃ）は、通信セッションの各ＩＰパケットを認証および暗号化することによって、インターネットプロトコル（ＩＰ）通信をセキュア化するためのプロトコルスイートである。トンネルモードでは、ＩＰｓｅｃは、ヘッダを含むＩＰパケット全体を暗号化する。これらの暗号化されたＩＰパケットは、次いで、新しいＩＰヘッダを伴う新しいＩＰパケットの中にカプセル化される。ＩＰＳｅｃトンネル１１０は、ＳＣ−ＡＰ１０６とＭＣＮ１０２との間の中間ネットワークリンクを含むバックホール１２４を通過する。
【０００５】
スモールセルゲートウェイ（ＳＣ−ＧＷ）１１２は、ＳＣ−ＡＰ１０６を含む複数のスモールセルアクセスポイントからのトラフィックをＭＣＮ１０２の中に集約する。図１では、ＳＣ−ＡＰ１０６は、Ｓ１ユーザ（Ｓ１−Ｕ）インターフェースを使用して、ＳＣ−ＧＷ１１２に接続される。
【０００６】
サービングゲートウェイ（Ｓ−ＧＷ）１１４およびパケットデータネットワークゲートウェイ（ＰＤＮ−ＧＷ）１１６は、ユーザプレーンに対処する。それらは、ユーザ機器（ＵＥ）１０４とパケットデータネットワーク（ＰＤＮ）１１８等の外部ネットワークとの間でＩＰデータトラフィックをトランスポートする。サービングＧＷ１１４は、無線側の相互接続点である。この場合、Ｓ−ＧＷ１１４は、ＳＣ−ＧＷ１１２を通して接続される。サービングゲートウェイ１１４は、着信および発信ＩＰパケットをルーティングすることによって、ＵＥ１０４にサービス提供する。Ｓ−ＧＷ１１４は、ＰＤＮ  ＧＷ１１６に接続される。
【０００７】
ＰＤＮ  ＧＷ１１６は、ＭＣＮ１０２と外部ネットワークＰＤＮ１１８との間の相互接続点である。ＰＤＮ１１８は、インターネット等のＩＰネットワークであり得る。ＰＤＮ−ＧＷ１１６は、パケットをＰＤＮ１１８等のＰＤＮへおよびそこからルーティングする。
【０００８】
ＭＭＥ（モビリティ管理エンティティ）１２０は、制御プレーンに対処する。それは、モビリティおよびセキュリティに関係付けられる信号伝達を取り扱う。ＭＭＥ１２０は、アイドルモードにおけるＵＥの追跡およびページングに関与する。これはまた、非アクセス層（ＮＡＳ）メッセージングの終端点でもある。
【０００９】
ＨＳＳ（ホーム加入者サーバ）１２６は、ユーザ関連および加入者関連情報を含むデータベースである。それはまた、モビリティ管理、呼び出しおよびセッション設定、ユーザ認証、ならびにアクセス認可におけるサポート機能も提供する。
【００１０】
ポリシーおよび課金規則機能（ＰＣＲＦ）１２６は、ネットワークのポリシー規則をリアルタイムで決定する。ＰＣＲＦ１２６は、集中型様式で、加入者データベースおよび課金システム等の他の特殊な機能にアクセスする。
【００１１】
ＥＰＣ等のＭＣＮ１０２は、インターネット等のパケットデータネットワーク（ＰＤＮ）１１８を経由してコンテンツにアクセスするユーザに、サービス品質（ＱｏＳ）を提供することができる。ＭＣＮ１０２を通したＵＥ１０４のＰＤＮ接続は、種々のレベルのＱｏＳを提供するように構成されることができる。
【００１２】
ＳＣ−ＡＰ１０６はまた、ローカルゲートウェイ（Ｌ−ＧＷ）１３０を通してローカルネットワーク１２８に接続する能力を有する。このように、ユーザ機器１０４は、ＭＣＮ１０２を通してルーティングすることなく、オフィスプリンタ等のローカルネットワーク１２８におけるリソースを使用することができる。Ｌ−ＧＷ１３０は、ＳＣ−ＡＰ１０６と統合されることも、独立型ボックスであることもできる。
【００１３】
３ＧＰＰのＲ１２では、Ｅ−ＵＴＲＡＮ／ＥＰＣアーキテクチャは、ローカルネットワークにおける選択インターネットＩＰトラフィックオフロード（ＳＩＰＴＯ＠ＬＮ）と呼ばれる特徴を含む。ＳＩＰＴＯ＠ＬＮは、ＵＥ１０４が、Ｌ−ＧＷ１３０を通してインターネットに接続することを可能にするために使用されることができる。ＳＩＰＴＯ＠ＬＮ特徴は、ＭＭＥ１２０が、ＭＣＮ１０２内のＰ−ＧＷ１１６に現在アンカされているＰＤＮ接続を切断し、Ｌ−ＧＷ１３０にアンカされる新しいＰＤＮ接続を確立するようにＵＥ１０４をダイレクトすることを可能にする。Ｌ−ＧＷ１３０との新しいＰＤＮ接続は、次いで、インターネットにアクセスするために、ＵＥ１０４によって使用されることができる。ＵＥ１０４からのトラフィックは、したがって、バックホール１２４およびＭＣＮ１０２からオフロードされる。
【００１４】
エッジキャッシングは、スモールセルフォーラムの文書ＳＣＦ０８８において論じられている。一例示的使用例は、ショッピングモール内で展開されるスモールセルネットワーク（ＳＣＮ）を説明している。ＳＣＮは、キャッシングサービスをコンテンツプロバイダにもたらす。コンテンツプロバイダは、ウェブアクセス可能広告、ビデオ、ウェブページ等をもたらし得る。コンテンツプロバイダは、コンテンツをＳＣＮ内にキャッシュし、したがって、より効率的（より短い待ち時間）アクセスをユーザに提供し、バックホールおよびモバイルコアネットワークからトラフィックをオフロードすることが可能である。
【００１５】
スモールセルフォーラムの文書ＳＣＦ０８８では、スモールセルフォーラムは、エッジキャッシングをサポートするための基本アーキテクチャフレームワークを作成した。フレームワークは、図２に示される。
【００１６】
図２のアーキテクチャは、キャッシングサービスが、４つの主要構成要素、すなわち、エッジサーバ２０２、ローカルマッピングサービス２０４、管理ポータル２０６、ならびにローカルデータ収集および分析サービス２０８から成ることを示す。エッジサーバ２０２は、キャッシュされたコンテンツを記憶するために使用される。ローカルマッピングサービス２０４は、ＵＥ２１０からの要求が、ローカルエッジサーバ２０２内で利用可能であるかどうかをチェックし、ＵＥ２１０をキャッシュされたコンテンツにダイレクトする。ローカルマッピングサービス２０４は、ＵＥ２１０をキャッシュされたコンテンツに明示的にリダイレクトするか、またはＵＥの要求をエッジサーバ２０２に透過的に転送し得る。言い換えると、リダイレクトの明示的方法が使用されるとき、ＵＥ２１０は、キャッシュされたコンテンツにアクセスしていることを認識し、リダイレクトの透過的方法が使用されているとき、ＵＥ２１０は、キャッシュされたコンテンツにアクセスしていることを認識していない。
【００１７】
管理ポータル２０６は、コンテンツプロバイダによって使用され、コンテンツ／データをスモールセルネットワークのエッジサーバ２０２の中にロードする。コンテンツプレースメント方法は、透過的または明示的にダイレクトされ得る。コンテンツをロードする明示的方法は、コンテンツプロバイダが、将来的読み出しのために、コンテンツをエッジサーバの中に意図的にロードするときであろう。透過的方法は、ネットワークがある遠隔コンテンツのキャッシュされているコピーを作成することを自律的に決定するときに使用される。
【００１８】
管理ポータル２０６はまた、ローカルデータ収集および分析サービス２０８にアクセスするために使用され得る。ローカルデータ収集および分析サービス２０８は、エッジサーバ２０２内にキャッシュされている任意のコンテンツを管理するために、およびそのようなコンテンツがアクセスされている方法についての分析、すなわち、統計を閲覧するために、オリジナルコンテンツプロバイダによって使用されることができる。
【００１９】
背景情報としての前述に関し、本願は、モバイルコアネットワークにおいてコンテンツをキャッシュするための新しい方法およびシステムを開示する。
【発明の概要】
【課題を解決するための手段】
【００２０】
実施形態は、Ｐ−ＧＷ後にＥＰＣ内に置かれるマッピングサービスを使用する。コンテンツがエッジサーバの中にロードされると、マッピングサービスは、エッジサーバにおいて利用可能なコンテンツについての情報で更新されることができ、キャッシュされたコンテンツのローカルＩＰアドレスまたはＵＲＩが提供されることができる。マッピングは、明示的マッピング方式を使用することができる。
【００２１】
マッピング／リダイレクト機能をＰ−ＧＷ後に位置させることによって、アーキテクチャは、ペアレンタルコントロール等のアクセスポリシーが、モバイルネットワークオペレータ（ＭＮＯ）によって施行されることを可能にする。例えば、ＵＥからのコンテンツ要求は全て、これらのコンテンツ要求がマッピングサービスに到達する前に、アクセスポリシーのためにフィルタ処理されることができる。
【００２２】
実施形態はまた、ユーザがローカルネットワークの中におよびそこからローミングするときに生じる、ユーザモビリティ問題を考慮する。
【００２３】
一実施形態では、ＵＥが、エッジサーバへのアクセスを有する、Ｌ−ＧＷまたはローカルホームネットワーク（ＬＨＮ）にアクセスすることができる、スモールセルアクセスポイントに接続すると、キャッシュされたコンテンツにアクセスする機会が、ＭＭＥによって検出される。ＭＭＥは、新しいＮＡＳモビリティ管理メッセージを使用して、ＵＥがローカルネットワークとの第２のＰＤＮ接続を開始することを要求することができる。第２のＰＤＮ接続は、ＵＥの第１のＰＤＮ接続とともに同時に維持されることができる。マッピングサービスは、キャッシュされたコンテンツが利用可能であるとき、ＵＥを第２のＰＤＮ接続にリダイレクトすることを可能にされる。第２のＰＤＮ接続を使用して、キャッシング機会を利用することによって、ユーザは、ＵＥがローカルネットワーク内外に移動するにつれて、単一ＰＤＮ接続と二重ＰＤＮ接続との間をシームレスに移行することが可能である。
【００２４】
ＡＰＮ−構成更新は、ＭＭＥが、Ｌ−ＧＷ背後のローカルネットワークにおけるエッジサーバの利用可能性を認識するように使用されることができる。
【００２５】
代替アーキテクチャは、エッジサーバがＭＮＯによって所有される通常の（非ローカル）ＰＤＮ内に常駐する場合に使用されることができる。このアーキテクチャの利点は、キャッシュされたコンテンツが、専用Ｐ−ＧＷを介してアクセス可能である、ＰＤＮ内に置かれ、したがって、公共インターネット等の他のＰＤＮをサービス提供するＰ−ＧＷおよび他のＥＰＣノードをオフロードすることができることである。
【００２６】
本概要は、発明を実施するための形態で以下でさらに説明される、一連の概念を簡略化形態で導入するために提供される。本概要は、請求される主題の主要な特徴または不可欠な特徴を識別することを意図しておらず、また、請求される主題の範囲を限定するために使用されることも意図していない。さらに、請求される主題は、本開示の任意の部分に記載される一部または全ての不利点を解決するという限界にも限定されない。
本発明はさらに、例えば、以下を提供する。
（項目１）
パケットデータネットワークゲートウェイを伴うモバイルコアネットワークを通して、ユーザ機器をパケットデータネットワークにおけるコンテンツに接続するシステムにおける方法であって、前記方法は、
前記パケットデータネットワークゲートウェイ後の前記モバイルコアネットワーク内の位置において、第１のＰＤＮ接続を横断する前記ユーザ機器からのコンテンツ要求を調べ、前記コンテンツ要求に関連付けられたコンテンツが前記パケットデータネットワークの外側のエッジサーバにキャッシュされているかどうかを決定することと、
前記パケットデータネットワークからの前記コンテンツが前記エッジサーバにキャッシュされている場合、第２のＰＤＮ接続を横断して前記エッジサーバから前記コンテンツを要求するように前記ユーザ機器をリダイレクトすることと
を含む、方法。
（項目２）
前記エッジサーバは、ローカルゲートウェイを通して前記ユーザ機器にアクセス可能なローカルネットワーク内にある、項目１に記載の方法。
（項目３）
前記エッジサーバは、第２のＰＤＮゲートウェイを通して前記ユーザ機器にアクセス可能な第２のパケットデータネットワーク内にある、項目１に記載の方法。
（項目４）
前記コンテンツ要求は、前記パケットデータネットワークゲートウェイに接続されているマッピングサービスによって調べられ、前記コンテンツ要求は、前記マッピングサービスに送信される前に、前記モバイルコアネットワークによって、前記コンテンツがアクセス制御によって制限されているかどうかをチェックされる、項目１に記載の方法。
（項目５）
前記第２のＰＤＮ接続は、前記モバイルコアネットワーク内のモビリティ管理エンティティ（ＭＭＥ）による要求に応答して、前記ユーザ機器によって開始される、項目１に記載の方法。
（項目６）
前記第２のＰＤＮ接続を開始するための要求は、前記ユーザ機器が追跡エリア更新を行うことに応答して、前記モビリティ管理エンティティ（ＭＭＥ）によって行われる、項目５に記載の方法。
（項目７）
前記第２のＰＤＮ接続は、前記モバイルコアネットワーク内のＰＤＮゲートウェイによる要求に応答して、前記ユーザ機器によって開始される、項目１に記載の方法。
（項目８）
プロセッサおよびメモリを備えているユーザ機器（ＵＥ）であって、前記ＵＥは、ノードのメモリ内に記憶されているコンピュータ実行可能命令をさらに含み、前記命令は、前記ＵＥの前記プロセッサによって実行されると、
コンテンツ要求を第１のＰＤＮ接続を横断し、モバイルコアネットワークを通し、パケットデータネットワークに向けて送信することと、
前記パケットデータネットワークゲートウェイ後の前記モバイルコアネットワーク内の位置において決定されるように、前記パケットデータネットワークからのコンテンツがエッジサーバにキャッシュされている場合、前記モバイルコアネットワークによって命令されると、前記コンテンツ要求をリダイレクトすることであって、前記ユーザ機器は、前記リダイレクトされるコンテンツ要求のために、第２のＰＤＮ接続を使用する、ことと
を前記ＵＥに行わせる、ＵＥ。
（項目９）
前記エッジサーバは、ローカルゲートウェイを通して前記ユーザ機器にアクセス可能なローカルネットワーク内にある、項目８に記載のＵＥ。
（項目１０）
前記エッジサーバは、第２のＰＤＮゲートウェイを通して前記ユーザ機器にアクセス可能な第２のパケットデータネットワーク内にある、項目８に記載のＵＥ。
（項目１１）
前記コンテンツ要求は、前記パケットデータネットワークゲートウェイに接続されているマッピングサービスによって調べられ、前記コンテンツ要求は、前記マッピングサービスに送信される前に、前記モバイルコアネットワークによって、前記コンテンツがアクセス制御によって制限されているかどうかを確認するためにチェックされる、項目８に記載のＵＥ。
（項目１２）
前記第２のＰＤＮ接続は、前記モバイルコアネットワーク内のモビリティ管理エンティティ（ＭＭＥ）による要求に応答して、前記ユーザ機器によって開始される、項目８に記載のＵＥ。
（項目１３）
前記第２のＰＤＮ接続を開始するための要求は、前記ユーザ機器が追跡エリア更新を行うことに応答して、前記モビリティ管理エンティティ（ＭＭＥ）によって行われる、項目１２に記載のＵＥ。
（項目１４）
前記第２のＰＤＮ接続は、前記モバイルコアネットワーク内のＰＤＮゲートウェイによる要求に応答して、前記ユーザ機器によって開始される、項目８に記載のＵＥ。
（項目１５）
プロセッサおよびメモリを備えているノードであって、前記ノードは、前記ノードの前記メモリ内に記憶されているコンピュータ実行可能命令をさらに含み、前記命令は、前記ノードの前記プロセッサによって実行されると、前記ノードに、マッピングサーブを実装して、
ユーザ機器から生じ、第１のＰＤＮ接続を横断し、パケットデータネットワークゲートウェイからパケットデータネットワークに向かって転送されるコンテンツ要求を受信することと、
前記コンテンツ要求に関連付けられたコンテンツが前記パケットデータネットワークの外側のエッジサーバにキャッシュされているかどうかを決定することと、
前記パケットデータネットワークからの前記コンテンツが前記エッジサーバにキャッシュされている場合、第２のＰＤＮ接続を横断して前記エッジサーバから前記コンテンツを要求するように前記ユーザ機器をリダイレクトすることと
を行わせる、ノード。
（項目１６）
前記コンテンツ要求は、前記マッピングサービスに送信される前に、モバイルコアネットワークによって、前記コンテンツがアクセス制御によって制限されているかどうかを確かめるためにチェックされる、項目１５に記載のノード。
（項目１７）
前記第２のＰＤＮ接続は、前記モバイルコアネットワーク内のモビリティ管理エンティティ（ＭＭＥ）による要求に応答して、前記ユーザ機器によって開始される、項目１５に記載のノード。
（項目１８）
前記第２のＰＤＮ接続を開始するための要求は、前記ユーザ機器が追跡エリア更新を行うことに応答して、前記モビリティ管理エンティティ（ＭＭＥ）によって行われる、項目１７に記載のノード。
（項目１９）
前記第２のＰＤＮ接続は、前記モバイルコアネットワーク内のＰＤＮゲートウェイによる要求に応答して、前記ユーザ機器によって開始される、項目１５に記載のノード。
【図面の簡単な説明】
【００２７】
【図１】図１は、モバイルコアネットワークおよびローカルネットワークに接続可能なユーザ機器を図示する、基本アーキテクチャ略図である。
【図２】図２は、ローカルマッピングサービスを用いたキャッシングサービスを図示する、基本アーキテクチャ略図である。
【図３】図３は、Ｐ−ＧＷ後のモバイルコアネットワーク内に位置するマッピングサービスを用いた一実施形態の明示的マッピング方式を図示する、基本アーキテクチャ略図である。
【図４】図４は、一実施形態における、コンテンツのエッジサーバへのロードを図示する、略図である。
【図５】図５は、ＵＥがＬ−ＧＷに接続するようにダイレクトされる、コールフローを図示する、略図である。
【図６】図６は、ＵＥが、初期ＨＴＴＰ要求の結果として、コンテンツをオリジナルコンテンツサーバから読み出し、第２の要求に応答して、エッジサーバ内のコンテンツにリダイレクトされることを図示する、略図である。
【図７】図７は、ＵＥがＬ−ＧＷへのアクセスを有していないＳＣ−ＡＰに移動するときのＰＤＮ接続の終了を図示する、略図である。
【図８】図８は、Ｐ−ＧＷ後のモバイルコアネットワーク内に位置するマッピングサービスおよびローカルネットワーク内の追加のローカルマッピングサービスを伴う実施形態を図示する、略図である。
【図９】図９は、Ｐ−ＧＷ後のモバイルコアネットワーク内に位置するマッピングサービスおよびエッジサーバを保持する特殊ＰＤＮを伴う実施形態を図示する、略図である。
【図１０】図１０は、ＵＥ等の例示的エンドノードの略図である。
【図１１】図１１は、マッピングサービスが実装され得る任意のノードを含む、図３−９に図示されるコアネットワークノードまたはエンドポイントのいずれかを実装するために使用され得る、コンピュータシステムまたはサーバのブロック図である。
【図１２】記載なし
【発明を実施するための形態】
【００２８】
図３は、Ｐ−ＧＷ１１６後のモバイルコアネットワーク１０２内に位置するマッピングサービス３０２を用いた一実施形態の明示的マッピング方式を図示する基本アーキテクチャ略図である。ＵＥ１０４は、ＳＣ−ＡＰ１０６、バックホール１２４、およびモバイルコアネットワーク（ＭＣＮ）１０２を介して、ＰＤＮ１１８への接続を有する。ＵＥ１０４が、Ｌ−ＧＷ１３０およびローカルネットワーク１２８への接続を有していない場合、図３におけるマッピングサービス３０２は、「透過的」と見なされ得る。言い換えると、ローカル接続が存在しない場合、コンテンツは、ＰＤＮ１１８から読み出される。ＵＥ１０４がＬ−ＧＷ１３０への接続を有するとき、キャッシュされたコンテンツをエッジサーバ３０８から読み出し得る。
【００２９】
本実施形態では、ＵＥは、２つの同時のＰＤＮ接続３０４および３０６を維持する。第２のＰＤＮ接続３０６は、キャッシュされたコンテンツを読み出すために使用される。ＵＥ１０４は、マッピングサービス３０２によって、ローカルネットワーク１２８に明示的にダイレクトされる。
【００３０】
マッピングサービス３０２をＰ−ＧＷ１１６後に置くことによって、アーキテクチャは、要求をリダイレクトすることについての決定が行われる前に、ペアレンタルコントロール等の制限がＵＥ１０４のコンテンツ要求に適用されることを可能にする。
【００３１】
ＵＥ１０４がコンテンツをエッジサーバ３０８から読み出すことができる前に、コンテンツプロバイダ３１２は、エッジサーバ３０８にコンテンツをロードし、マッピングサービス３０２は、キャッシュされたコンテンツが利用可能であるかどうかを通知される。ＵＥ１０４は、エッジサーバ３０８へのアクセスを提供するＵＥ１０４に利用可能なＬ−ＧＷ１３０が存在することを認識する。ＵＥ１０４はまた、Ｌ−ＧＷ１３０ともＰＤＮ接続を確立する。マッピングサービス３０２は、ＵＥ１０４がエッジサーバ３０８にアクセスすることができることを認識するようになる。マッピングサービス３０２が、ＵＥ１０４がエッジサーバ３０８内で利用可能なコンテンツにアクセスしていることを検出すると、マッピングサービス３０２は、ＵＥ１０４をエッジサーバ３０８内のコンテンツにリダイレクトする。代替として、Ｐ−ＧＷ１１６が、ＵＥ１０４がエッジサーバ３０８にアクセスすることができることを認識するようになり得る。Ｐ−ＧＷ１１６は、次いで、ＵＥ１０４のトラフィックがマッピングサービス３０２に向けられ得るように、ＵＥ１０４を起源とするＩＰパケットをマークし得る。Ｐ−ＧＷ１１６は、ＵＥ１０４がエッジサーバ３０８へのアクセスを有し、ＵＥ１０４トラフィックがマッピングサービスに向かってリダイレクトまたは向けられるべきであるとき、ＰＣＲＦ１２６によって通知され得る。
【００３２】
ＵＥ１０４が、Ｌ−ＧＷ１３０に到達することができないスモールセルに移動する場合、ＵＥ１０４は、Ｌ−ＧＷ１１６とのそのＰＤＮ接続を切断し、マッピングサービス３０２またはＰ−ＧＷ１１６は、ＵＥ１０４をもはやリダイレクトすることができないことを認識するようになる。
【００３３】
一実施形態では、モバイルネットワークオペレータ（ＭＮＯ）は、エッジサーバ３０８およびマッピングサービス３０２のホストを所有し、動作させ、および／またはそれとの取引関係を有することができる。
【００３４】
図３の実施例では、管理ポータル３１０が、コンテンツプロバイダ３１２に利用可能である。管理ポータル３１０は、コンテンツプロバイダ３１２が、コンテンツをエッジサーバ３０８にロードし、適宜、マッピングサービス３０２を更新することを可能にする。言い換えると、コンテンツがエッジサーバ３０８にロードされると、管理ポータル３１０は、マッピングサービス３０２が各ローカルネットワーク内で利用可能なコンテンツを認識するように、マッピングサービス３０２に通知する。例えば、コンテンツプロバイダ３１２は、ｅｘａｍｍｐｌｅ．ｃｏｍ／ｅｘａｍｍｐｌｅ−ｐａｇｅと呼ばれる人気のウェブページのコンテンツをキャッシュすることを所望し得る。コンテンツプロバイダ３１２は、管理ポータル３１０を使用して、ｅｘａｍｍｐｌｅ．ｃｏｍ／ｅｘａｍｍｐｌｅ−ｐａｇｅのコンテンツをエッジサーバ３０８に送信する。管理ポータル３１０は、マッピングサービス３０２に、ｅｘａｍｍｐｌｅ．ｃｏｍ／ｅｘａｍｍｐｌｅ−ｐａｇｅのキャッシュされたコピーがローカルネットワーク１２８内で利用可能であることを通知する。管理ポータル３１０は、ＰＤＮネットワーク３１６を使用して、エッジサーバ３０８（およびデータ収集ならびに分析３１４）に接続することができる。
【００３５】
図３に図示される機能性は、以下に説明される図１１または１２に図示されるもの等、Ｍ２Ｍネットワーク（例えば、サーバ、ゲートウェイ、デバイス、または他のコンピュータシステム）のノードのメモリ内に記憶され、そのプロセッサ上で実行するソフトウェア（すなわち、コンピュータ実行可能命令）の形態で実装され得ることを理解されたい。
【００３６】
図４は、一実施形態における、エッジサーバ３０８の中へのコンテンツのロードを図示する、略図である。図４の実施例は、４つのステップを有する。
【００３７】
図４のステップ１では、コンテンツプロバイダ３１２は、コンテンツを管理ポータル３１０に送信する。このメッセージは、以下のフィールドを含むことができる。
−オリジナルコンテンツ３１４のＵＲＬ
−オリジナルコンテンツのコピー
−コンテンツがキャッシュされるべき、ローカルアクセスポイント名（ＡＰＮ）、Ｌ−ＧＷ、またはＬＨＮ−ＩＤの名称。ＡＰＮは、パケットデータネットワーク（ＰＤＮ）を識別する。ローカルＡＰＮは、エッジサーバ３０８を有するローカルネットワーク１２８を識別する。
−このコンテンツに関連付けられるべきＡＰＮの名称。このＡＰＮは、オリジナルコンテンツ３１４を記憶しているＰＤＮ１１８を識別する。
【００３８】
図４のステップ２では、管理ポータル３１０は、コンテンツをステップ１に示されたローカルＡＰＮのエッジサーバ３０８に送信する。
【００３９】
図４のステップ３では、エッジサーバ３０８は、キャッシュされたコンテンツが読み出され得る場所のＵＲＬで応答する。
【００４０】
図４のステップ４では、管理ポータル３１０は、キャッシュされたコンテンツがローカルネットワーク１２８内で利用可能であることをマッピングサーバ３０２認識するように、通知をマッピングサーバ３０２に送信する。このメッセージは、以下のフィールドを含む。
−オリジナルコンテンツ３１４のＵＲＬ
−キャッシュされたコンテンツのＵＲＬおよびエッジサーバのローカルＩＰアドレス
−コンテンツがキャッシュされるべき、ローカルＡＰＮ、Ｌ−ＧＷ、またはＬＨＮ−ＩＤの名称−このコンテンツに関連付けられるべきＡＰＮの名称
ＵＥ１０４が追跡エリア更新（ＴＡＵ）を行うとき、ＭＭＥ１２０への追跡エリア更新要求メッセージは、「ＳＩＰＴＯ  Ｌ−ＧＷトランスポート層アドレス」情報要素または「ＬＨＮ−ＩＤ」値を含み得る。ＬＨＮ−ＩＤは、全ての初期ＵＥメッセージおよび全てのアップリンクＮＡＳトランスポートメッセージにおいて、（Ｈ）ｅＮＢ等のＳＣ−ＡＰ１０６によって、ＭＭＥ１２０に提供されることができる。これらの値のいずれかの存在は、ＭＭＥ１２０に、ＳＣ−ＡＰ１０６がＬ−ＧＷ１３０にアクセス可能であることを示す。
【００４１】
ＭＭＥ１２０は、Ｌ−ＧＷ１３０が、異なる方法で特定のＡＰＮのためにキャッシュされたコンテンツを保持するエッジサーバ３０８にアクセスし得ることを決定することができる。ＭＭＥ１２０は、エッジサーバにアクセス可能であるＬ−ＧＷおよびＬＨＮならびにエッジサーバがサービス提供し得るＡＰＮを列挙するリストがプロビジョニングされるか、またはそのデータベース／リストへのアクセスを有し得る。代替として、加入者ＡＰＮ構成が、ＡＰＮに関連付けられたエッジサーバにアクセスするために使用され得るＬＨＮ−ＩＤおよび／またはＬ−ＧＷを示すことができる。
【００４２】
ＳＣ−ＡＰ１０６は、初期ＵＥメッセージおよびアップリンクＮＡＳトランスポートメッセージに対する拡張を介して、エッジサーバ３０８の公共およびローカルＩＰアドレスを含み得る。ＭＭＥ１２０は、ＵＥ１０４がアクセス可能なローカルコンテンツを決定するために公共ＩＰアドレスを使用し得、ＵＥ１０４をリダイレクトするとき、プライベートＩＰアドレスを使用し得る。
【００４３】
したがって、ＵＥ１０４がＴＡＵを行うとき、ＭＭＥ１２０は、ＵＥ１０４が、キャッシュされたコンテンツを記憶するエッジサーバ３０８に到達することができる、Ｌ−ＧＷ１３０へのアクセスを有するスモールセルを使用していることを検出し得る。ＭＭＥ１２０は、次いで、さらには、ＵＥの能力が、Ｌ−ＧＷ１３０の接続をサポートするかどうかと、ＵＥの現在のＡＰＮ接続がキャッシュされたコンテンツへのアクセスを可能にするかどうかをチェックする。ＵＥ１０４が、キャッシュされたコンテンツにアクセスすることが可能であり、かつ許可されている場合、ＭＭＥ１２０は、ＵＥ１０４に、エッジサーバ３０８にアクセスすることができるＬ−ＧＷ１３０との接続を確立するようにコマンドする。
【００４４】
ＵＥ１０４は、新しいコマンドをＭＭＥ１２０から受信すると、第２のＰＤＮ接続３０６を確立し、同時に、Ｐ−ＧＷ１１６にアンカされるその一次ＰＤＮ接続３０４とともに維持する。
【００４５】
ＭＭＥ１２０がＵＥ１０４にＰＤＮ接続を確立するようにコマンドすることを可能にする概念は、新しい概念である。ＬＴＥでは、ネットワークアクティブ化ＰＤＮ接続の概念は、存在しない。
【００４６】
ＭＭＥ１２０がＵＥ１０４に「再アタッチが要求される明示的アタッチ解除」を行うようにコマンドし得る既存のプロシージャは、存在する。このプロシージャは、ＵＥ１０４が、ＳＩＰＴＯ＠ＬＮ接続を有し、ＵＥ１０４が、ＵＥ１０４が現在アタッチされているＬ−ＧＷ１３０にアクセスすることができない、Ｈ（ｅ）ＮＢ等の別のＳＣ−ＡＰに移動するときに使用される。「再アタッチが要求される明示的アタッチ解除」プロシージャは、ＵＥ１０４に、Ｌ−ＧＷ１３０からアタッチ解除し、再アタッチするようにコマンドするために使用されることができる。ＵＥ１０４が再アタッチすると、ＭＭＥ１２０は、ＵＥ１０４のためにＭＣＮ１２０内のＰ−ＧＷ１１６を選択する。
【００４７】
実施形態は、ＭＭＥ１２０が、ＵＥ１０４が、ローカルでキャッシュされたコンテンツを提供するＬ−ＧＷ１３０へのアクセスを有するＳＣ−ＡＰ１０６に移動したことを検出する場合の修正されたプロシージャも含む。ＭＭＥ１２０は、新しい非アクセス層（ＮＡＳ）メッセージをＵＥ１０４に送信し、ＵＥ１０４に、Ｌ−ＧＷ１３０とＰＤＮ接続３０６を確立するようにコマンドすることができる。
【００４８】
図４に図示されるステップを行うエンティティは、図１１または図１２に図示されるもの等、ネットワークノードまたはコンピュータシステムのメモリ内に記憶され、そのプロセッサ上で実行するソフトウェア（すなわち、コンピュータ実行可能命令）の形態で実装され得る論理エンティティであることを理解されたい。すなわち、図４に図示される方法は、図１１または図１２に図示されるノードもしくはコンピュータシステム等のネットワークノードのメモリ内に記憶されるソフトウェア（すなわち、コンピュータ実行可能命令）の形態で実装され得、コンピュータ実行可能命令は、ノードのプロセッサによって実行されると、図４に図示されるステップを行う。図４に図示される任意の伝送および受信ステップは、ノードのプロセッサならびにそれが実行するコンピュータ実行可能命令（例えば、ソフトウェア）の制御下でノードの通信回路によって行われ得ることも理解されたい。
【００４９】
図５は、ＵＥ１０４がＬ−ＧＷ１３０に接続するようにダイレクトされる一実施形態におけるコールフローを図示する略図である。このプロシージャは、ＵＥ１０４が、キャッシュされたコンテンツにアクセスすることができるＬ−ＧＷ１３０へのアクセスを有するＳＣ−ＡＰ１０６に移動する場合のモビリティ問題を解決するために使用されることができる。
【００５０】
図５の０ａおよび０ｂと標識されたステップは、方法のための前提条件である。図５の前提条件１（ステップ０ａ）のために、ＵＥ１０４は、ＭＣＮ１０２（ＥＰＣ）にアタッチする。ＵＥ１０４は、「Ｅ−ＵＴＲＡＮ初期アタッチ」プロシージャを使用するであろう。
【００５１】
図５の前提条件２（ステップ０ｂ）のために、ＵＥ１０４は、ＰＤＮ接続３０４を確立する。ＰＤＮ接続３０４は、図３に示されるように、Ｐ−ＧＷ１１６にアンカされる。ＵＥ１０４は、「ＵＥ要求ＰＤＮ接続」プロシージャを使用し、この接続を確立するであろう。
【００５２】
「Ｅ−ＵＴＲＡＮ初期アタッチ」プロシージ中、ＭＭＥ１２０は、ＨＳＳ１２２に、「場所更新要求」メッセージを送信し、ＨＳＳ１２２は、「場所更新回答」メッセージで応答する。「場所更新回答」メッセージは、ＵＥの加入情報をＭＭＥ１２０に送信するために使用される。このやりとりは、Ｓ６ａインターフェース上で生じる。ＨＳＳ１２２は、各ＵＥ１０４が接続することができるＡＰＮについての情報ですでにプロビジョニングされている。この新しい特徴をサポートするために、ＨＳＳ１２２は、キャッシングをサポートする加入されたＡＰＮ毎の追加の情報でプロビジョニングされる。更新された情報は、ＡＰＮがローカルキャッシングをサポートするかどうかと、ＡＰＮのためのデータをキャッシュするローカルネットワークとを示す。「場所更新回答」メッセージは、ＭＭＥ１２０が、ＰＤＮコンテンツがいくつかのローカルネットワーク内にキャッシュされることを可能にするＵＥのＡＰＮを把握するように、新しい情報をＭＭＥ１２０に搬送する。以下に説明される新しいフィールドは、ＨＳＳ１２２内にプロビジョニングされ、Ｓ６ａインターフェースを介して、ＭＭＥ１２０に提供される。
【００５３】
図５のステップ１では、ＵＥの場所に基づいて、ＭＭＥ１２０は、キャッシュされたコンテンツを読み出すために使用されることができるローカルＰＤＮ接続を確立するようにＵＥ１０４をダイレクトする機会を探す。新しい加入情報は、キャッシュされたコンテンツを読み出すために使用されることができるローカルＰＤＮ接続を確立するようにＵＥ１０４をダイレクトする機会が存在するかどうかを決定するために、ＭＭＥ１２０によって使用される。図５の実施例では、ＭＭＥ１２０（またはマッピングサービス３０２）は、ＵＥ１０４が、キャッシュされたコンテンツにアクセスするために、ローカルＰＤＮである、ローカルネットワーク１２８に接続することが可能であることを検出する。
【００５４】
１つの代替である、図５において１ａと標識されたステップでは、ＭＭＥ１２０は、キャッシュアクセス機会を検出する。Ｓ１アプリケーションプロトコルＳ１−ＡＰ設定プロシージャ中、ＳＣ−ＡＰ１０６は、ＭＭＥ１２０に、Ｌ−ＧＷ１３０がＳＣ−ＡＰ１０６にアクセス可能であることを示し、ＳＣ−ＡＰ１０６は、ＭＭＥ１２０に、ＳＣ−ＡＰ１０６にアクセス可能であるＬ−ＧＷ１３０またはＬＨＮ−ＩＤの識別を提供する。識別は、全ての初期ＵＥメッセージおよび全てのアップリンクＮＡＳトランスポートメッセージにおいて提供される。この新しい特徴をサポートするために、ＳＣ−ＡＰ１０６は、ＭＭＥ１２０に、Ｌ−ＧＷ１３０またはＬＨＮがキャッシュ可能であることを示し、そのエッジサーバのための連絡先情報（ＩＰアドレスの形態で）を提供し得る。ＳＣ−ＡＰ１０６は、この情報をＭＭＥ１２０に初期ＵＥメッセージまたはアップリンクＮＡＳトランスポートメッセージ内の新しいフィールドとして提供し得る。代替として、ＭＭＥ１２０は、エッジサーバ３０８へのアクセスおよびエッジサーバ連絡先アドレスを有するＬ−ＧＷまたはＬＨＮ−ＩＤのリストでプロビジョニングされ得るか、またはＭＭＥ１２０は、この情報が記憶されるデータベースへのアクセスを有し得る。ＴＡＵが生じると、ＭＭＥ１２０は、キャッシュされたコンテンツにアクセスするためにＵＥ１０４にアクセス可能なＬ−ＧＷ１３０が存在するかどうかをチェックする。好適なＬ−ＧＷ１３０が利用可能である場合、ＭＭＥ１２０はさらに、ＵＥの能力（Ｓ６ａインターフェースを介して、ＨＳＳ１２２から得られた）がＬ−ＧＷ１３０への接続をサポートするかどうかをチェックする。
【００５５】
別の代替である、図５において１ｂと標識されたステップでは、マッピングサービス３０２が、キャッシュアクセス機会を検出する。マッピングサービス３２０またはトラフィック検出機能は、ＵＥ１０４がデータにアクセスしていることを検出するか、またはＵＥ１０４がローカルキャッシュ内で利用可能なデータにアクセスするであろうことを予期することができ、ＭＭＥ１２０に、ローカルＰＤＮ接続がキャッシュにアクセスするために確立され得ることの通知を送信することができる。この場合、マッピングサービスは、通知がＭＭＥ１２０に送信される場合、ＩＭＳＩがＵＥ１０４を識別するために使用可能であるように、ＵＥのＩＰアドレスと国際モバイル加入者識別（ＩＭＳＩ）との間のマッピングを維持する。例えば、マッピングサービス３０２は、ＵＥ１０４が、エッジサーバ内で利用可能なあるコンテンツに類似するニュース記事にアクセスしていることを検出し得る。これは、マッピングサービス３０２に、ＵＥ１０４がエッジサーバ内で利用可能なあるコンテンツを要求し得ることを予期させ得る。マッピングサービス３０２は、ＵＥのＩＰアドレスを使用して、ＵＥのＩＭＳＩを決定（すなわち、ルックアップ）し、通知をＭＭＥ１２０に送信する。ＭＭＥ１２０への通知は、ＵＥ１０４（ＩＭＳＩによって識別された）がエッジサーバ３０８へのアクセスを提供するＰＤＮ接続から利益を享受し得ることを示す。代替として、マッピングサービス３０２は、サービス能力開示機能（ＳＣＥＦ）等の相互作用機能を介して、ＭＭＥ１２０と通信し得る。ＳＣＥＦは、ＩＭＳＩにＵＥのＩＰアドレスを転換すること、および、どのＭＭＥに通知を送信すべきかを決定することを課され得る。
【００５６】
図５のステップ２では、ＭＭＥ１２０は、新しい「ＰＤＮサービス広告要求」をＵＥ１０４に送信する。「ＰＤＮサービス広告要求」は、ＵＥ１０４に、あるサービスにアクセスするために、特定のＡＰＮに接続すべきであることを示すために使用される新しいＥＰＳモビリティ管理メッセージである。前のステップに説明されるように、ＭＭＥ１２０が検出されたキャッシュアクセス機会を検出したか、またはマッピングサービス３０２がＭＭＥ１２０にキャッシュアクセス機会が存在することを示したかのいずれかであるので、ＭＭＥ１２０は、このメッセージを送信すべきことを把握している。本実施例では、この新しいメッセージは、ＵＥ１０４がＡＰＮ内のあるキャッシュされたコンテンツにリダイレクトされることを予期して使用されている。このメッセージは、以下の情報要素を含むことができる。
−参考文献３ＧＰＰ  ＴＳ  ２４．３０１，Ｎｏｎ−Ａｃｃｅｓｓ−Ｓｔｒａｔｕｍ（ＮＡＳ）  Ｐｒｏｔｏｃｏｌ  ｆｏｒ  Ｅｖｏｌｖｅｄ  Ｐａｃｋｅｔ  Ｓｙｓｔｅｍ（ＥＰＳ）；Ｓｔａｇｅ３（Ｒｅｌｅａｓｅ  １２），Ｖ１２．３．０（以降「参考文献３ＧＰＰ  ＴＳ  ２４．３０１」）の第９．２節に定義されたプロトコル識別子
−参考文献３ＧＰＰ  ＴＳ  ２４．３０１の第９．３．１節に定義されたセキュリティヘッダタイプ
−参考文献３ＧＰＰ  ＴＳ  ２４．３０１の第９．８節に定義されたメッセージタイプ。０ｘ４７等のＥＰＣモビリティ管理メッセージタイプ値のうちの１つが、「ＰＤＮサービス広告要求」メッセージのために予約されることができる。
−新しい「サービス広告タイプ」情報要素が、使用されることができる。この情報要素は、１／２オクテットサイズであり得、ＡＰＮ内で利用可能なサービスのタイプを示し得る。例えば、０ｘ０１の値は、キャッシュされたコンテンツが示されるＡＰＮ内でアクセス可能であることを示し得る。このフィールドはまた、「ＰＤＮサービス広告要求」メッセージが、キャッシュされたコンテンツにアクセスすること以外のある理由から、ＵＥ１０４をＰＤＮにダイレクトするために使用される場合、将来的に有用であり得る。
−参考文献３ＧＰＰ  ＴＳ  ２４．３０１の第９．９．２．９節に定義されたスペアハーフオクテット
−参考文献３ＧＰＰ  ＴＳ  ２４．３０１の第９．９．４．１節に定義されたアクセスポイント名。ＡＰＮ名は、ＵＥ１０４がＡＰＮとＰＤＮ接続を確立しようとするとき、ＰＤＮ接続が検出されたＬ−ＧＷ１３０またはＬＨＮとであるべきことをＭＭＥ１２０が容易に認識可能であるように、ＭＭＥ１２０によって作成される特殊なＡＰＮ名であり得る。代替として、ＰＤＮサービス広告要求メッセージは、Ｌ−ＧＷ１３０またはＬＨＮ−ＩＤをＵＥ１０４に示し得る。
−参考文献３ＧＰＰ  ＴＳ  ２４．３０１の第９．９．４．１０節に定義されたＰＤＮタイプ
追加の情報要素（ＩＥ）が、ＵＥ１０４がＡＰＮに接続すべきかどうかを決定するのを支援することを可能にするために含まれ得る。例えば、メッセージは、ＡＰＮ内で利用可能なコンテンツについての価格情報またはさらなる詳細を含み得る。コンテンツタイプは、マルチメディア、広告、ウェブページ等を含み得る。ＵＥ１０４は、このメッセージを提案と見なし、ローカルＰＤＮ接続を確立しないことを選定し、したがって、キャッシュされたコンテンツにアクセスする機会を見合わせ得る。
【００５７】
図５のステップ３では、ＵＥは、新しい「ＰＤＮサービス広告応答」をＭＭＥ１２０に送信する。「ＰＤＮサービス広告応答」は、ＭＭＥ１２０に、ＵＥ１０４が「ＰＤＮサービス広告要求」メッセージを受信したことを示すために使用される新しいＥＰＳモビリティ管理メッセージである。このメッセージは、以下の情報要素を含むことができる。
−参考文献３ＧＰＰ  ＴＳ  ２４．３０１の第９．２節に定義されたプロトコル識別子−参考文献３ＧＰＰ  ＴＳ  ２４．３０１の第９．３．１節に定義されたセキュリティヘッダタイプ
−参考文献３ＧＰＰ  ＴＳ  ２４．３０１の第９．８節に定義されたメッセージタイプ。０ｘ４８等のＥＰＣモビリティ管理メッセージタイプ値のうちの１つは、「ＰＤＮサービス広告応答」メッセージのために予約されることができる。追加のＩＥが、ＵＥ１０４がＭＭＥ１２０にＡＰＮに接続することを意図するかどうかを示すことを可能にするために含まれ得る。
【００５８】
図５のステップ４では、ＵＥ１０４は、参考文献３ＧＰＰ  ＴＳ  ２４．３０１，Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ  （Ｒｅｌｅａｓｅ  １２），  Ｖ１２．３．０（以下、「参考文献３ＧＰＰ  ＴＳ  ２３．４０１」）の第５．１０．２節に示される、「ＵＥ要求ＰＤＮ接続」プロシージャを実行する。ＵＥ１０４は、エッジサーバおよびキャッシュされたコンテンツを保持するローカルＰＤＮに接続することを所望するので、このプロシージャを実行する。ＵＥ１０４は、「ＰＤＮ接続要求」メッセージを送信することによって、このプロシージャを開始する。「ＰＤＮ接続要求」は、ＵＥ１０４が、ステップ２においてＵＥ１０４に提供されたＡＰＮに接続することを所望することを示す。「ＰＤＮ接続要求」の「要求タイプ」ＩＥは、「初期要求」に設定され、要求が新しいＰＤＮ接続のためのものであることを示す。代替として、ＵＥ１０４が、「ＰＤＮサービス広告要求」内でＭＭＥによってＬ−ＧＷ１３０アドレスまたはＬＨＮ−ＩＤが提供された場合、ＵＥ１０４は、「ＰＤＮ接続要求」内でその値をＭＭＥ１２０に提供し得る。
【００５９】
図５のステップ５では、ＭＭＥ１２０は、ＵＥ１０４によって維持されるＰＤＮ接続と、「ＵＥ要求ＰＤＮ接続」プロシージャが完了したときとを把握しており、ＭＭＥ１２０は、ＵＥ１０４が、エッジサーバ３０８内のキャッシュされたコンテンツにアクセスするために使用されることができるローカルネットワーク１２８に接続されていることを把握する。ＭＭＥ１２０は、マッピングサービス３０２に、ＵＥ１０４がローカルＡＰＮ、Ｌ−ＧＷ１３０、またはＬＨＮへのアクセスを有することを示す。指示は、ＭＭＥ１２０によって、新しいインターフェース上で、新しいメッセージである加入者ローカルアクセス通知を介して、マッピングサービス３０２に送信される。新しいインターフェースは、ＭＭＥ１２０とマッピングサービス３０２との間にある。マッピングサービス３０２は、管理ポータル３１０を介して、各ローカルＡＰＮ、Ｌ−ＧＷ、または各ＬＨＮ内で利用可能なコンテンツと、各ローカルネットワーク内で利用可能なキャッシュされたコンテンツを伴うエッジサーバのＩＰアドレスとについての情報ですでにプロビジョニングされている。この新しいメッセージは、以下の情報を搬送することができる。
−ＵＥのための加入識別子、すなわち、ＩＭＳＩ
−ＡＰＮ名／ＰＤＮ接続ＩＤ−ローカルアクセスにリダイレクトされることができる、ＡＰＮまたはＰＤＮ接続の名称
−Ｌ−ＧＷアドレスまたはＬＨＮ−ＩＤ−ＵＥが示されるＡＰＮ／ＰＤＮ接続に対してキャッシュされたコンテンツを読み出すために使用することができるＬ−ＧＷまたはＬＨＮ
マッピングサービス３０２が、加入者ローカルアクセス通知に示されるＬ−ＧＷ１３０を介して利用可能なコンテンツを認識していない場合、マッピングサービス３０２は、ローカルネットワークエッジサーバ３０８とデータ収集および分析サービス３１４とにコンタクトし、ローカルネットワーク１２８内にキャッシュされているコンテンツについて学習し得る。これは、マッピングサービス３０２がオリジナルコンテンツの公共ＩＰアドレスがローカルＩＰアドレスにキャッシュされたコンテンツを伴うエッジサーバ３０８をマップする方法を学習するときでもある。このステップは、マッピングサービスが前述のように更新されていなかった場合に行われることができる。
【００６０】
ＭＭＥ１２０はまた、この情報がＳＣ−ＡＰ１０６によってＭＭＥ１２０に提供された場合、随意に、マッピングサービス３０２に、エッジサーバ３０８の公共およびローカルＩＰアドレスを提供し得る。
【００６１】
このプロシージャの完了時、ＵＥ１０４は、２つのＰＤＮ接続、すなわち、Ｐ−ＧＷ１１６においてアンカされる一次ＰＤＮ接続３０４と、Ｌ−ＧＷ１３０にアンカされる第２のＰＤＮ接続３０６とを有する。Ｌ−ＧＷ１３０にアンカされる第２のＰＤＮ接続３０６は、エッジサーバ３０８内のキャッシュされたコンテンツにアクセスするために使用されることができる。マッピングサービス３０２は、一次ＰＤＮ接続３０４に関連付けられ、要求を一次ＰＤＮ接続３０４から第２のＰＤＮ接続３０６にリダイレクトすることができる。
【００６２】
ＵＥ１０４が、その主要ＰＤＮ接続３０４を使用して、コンテンツにアクセスすることを試みるとき、マッピングサービス３０２は、各要求を調べ、ＵＲＬが、ＵＥ１０４がアクセスを有するローカルネットワーク１２８内で利用可能であるかどうかをチェックする。ＵＲＬが利用可能である場合、マッピングサービス３０２は、要求にリダイレクト応答で応答する。代替として、ステップ５および６のメッセージ交換は、Ｐ−ＧＷが、ＵＥ１０４がローカルＡＰＮ、Ｌ−ＧＷ１３０、またはＬＨＮへのアクセスを有することの指示を受信するであろうように、ＭＭＥ１２０とＰ−ＧＷ１１６との間で生じ得る。Ｐ−ＧＷ１１６は、ＵＥ１０４からのパケットがマッピングサービス３０２に向かって操向され得るように、ＵＥ１０４からのパケットをマークすることが可能であろう。
【００６３】
図５に図示されるステップを行うエンティティは、図１１または図１２に図示されるもの等、ネットワークノードまたはコンピュータシステムのメモリ内に記憶され、そのプロセッサ上で実行するソフトウェア（すなわち、コンピュータ実行可能命令）の形態で実装され得る論理エンティティであることを理解されたい。すなわち、図５に図示される方法は、図１１または図１２に図示されるノードもしくはコンピュータシステム等のネットワークノードのメモリ内に記憶されるソフトウェア（すなわち、コンピュータ実行可能命令）の形態で実装され得、そのコンピュータ実行可能命令は、ノードのプロセッサによって実行されると、図５に図示されるステップを行う。図４に図示される任意の伝送および受信ステップは、ノードのプロセッサおよびそれが実行するコンピュータ実行可能命令（例えば、ソフトウェア）の制御下でノードの通信回路によって行われ得ることも理解されたい。
【００６４】
図６は、一実施形態における、初期ＨＴＴＰ要求の結果として、ＵＥ１０４がコンテンツをオリジナルコンテンツサーバ３１４から読み出すことを図示する、略図である。そして、ＵＥ１０４は、第２のＨＴＴＰ要求の結果として、ローカルキャッシュ３０８にリダイレクトされる。
【００６５】
図６のステップ１では、ＵＥ１０４は、その主要ＰＤＮ接続を使用して、あるコンテンツのためのＨＴＴＰ要求を行う。要求は、スモールセル、Ｐ−ＧＷ１１６、およびマッピングサービス３０２をトラバースする。この図のステップ１の実施例では、マッピングサービス３０２は、ＨＴＴＰ要求を調べるが、利用可能な要求されるコンテンツのキャッシュされているコピーが存在しないことを見出す。利用可能なキャッシュされたコンテンツが存在しないので、マッピングサービス３０２は、何らアクションを行わず（要求を調べる以外）、要求は、オリジナルコンテンツサーバ３１４に通ることを可能にされる。
【００６６】
図６のステップ２では、コンテンツサーバ３１４は、要求されるコンテンツで応答する。要求は、スモールセルおよびＰ−ＧＷ１１６をトラバースする。マッピングサービス３０２は、ダウンリンクパケットを調べない。
【００６７】
図６のステップ３では、ＵＥ１０４は、その主要ＰＤＮ接続を使用して、あるコンテンツに対するＨＴＴＰ要求を行う。要求は、スモールセル、Ｐ−ＧＷ１１６、およびマッピングサービス３０２をトラバースする。この図のステップ３では、マッピングサービスは、ＨＴＴＰ要求を調べ、ＵＥ１０４がアクセスを有するローカルＰＤＮエッジサーバ３０８内に要求されるコンテンツのキャッシュされているコピーが存在することを発見する。利用可能なキャッシュされたコンテンツが存在し、ＵＥ１０４がローカルキャッシュへのアクセスを有するので、マッピングサービス３０２は、ＵＥ１０４をローカルコンテンツにリダイレクトする。これは、ステップ４に説明される。
【００６８】
図６のステップ４では、マッピングサービスは、ＨＴＴＰリダイレクト応答をＵＥ１０４に発行する。リダイレクト応答は、エッジサーバ３０８にキャッシュされたコンテンツのＵＲＬを含む。ＵＲＬは、ローカルネットワーク内でエッジサーバ３０８に属するＩＰアドレスを含み得るか、またはＤＮＳ等のプロシージャが、ローカルネットワーク１２８上のエッジサーバ３０８に属するＩＰアドレスにそれを転換するために使用され得る。マッピングサービスは、Ｐ−ＧＷ１１６後にある。Ｐ−ＧＷ１１６機能とマッピングサービス３０２との間において、オペレータは、トラフィック検出およびペアレンタルコントロール等の機能を行うことを選定し得る。ユーザが、要求されるＵＲＬを読み出すことが許可されない場合、要求は、オペレータによってブロックされ、この要求は、マッピングサービスによって見られることはない。
【００６９】
図６のステップ５では、ＵＥ１０４は、リダイレクト応答内で受信されたＵＲＬを使用して、再び、コンテンツを要求する。今度は、ＵＥ１０４は、そのローカルＰＤＮ接続３０６を使用して、エッジサーバ３０８にキャッシュされたコンテンツに対するＨＴＴＰ要求を行う。要求は、スモールセルおよびＬ−ＧＷ１３０をトラバースする。
【００７０】
図６のステップ６では、エッジサーバ３０８は、要求されるコンテンツで応答する。要求は、スモールセルおよびＬ−ＧＷ１３０をトラバースする。
【００７１】
マッピングサービス３０２は、管理ポータル３１０とのその接続またはエッジサーバ３０８との接続を使用して、ローカルネットワーク１２８内のトラフィック負荷と、ローカルネットワーク１２８によって提供され得るサービスのレベルとについての情報を獲得し得る。この情報は、マッピングサービス３０２によって、ＵＥ１０４がローカルネットワーク１２８にリダイレクトされるべきかどうかを決定するときに使用されることができる。マッピングサービスはまた、ＰＣＲＦ１２６との接続を有し、所与のトラフィックフローのためのＱｏＳ要件を獲得し得る。ＱｏＳ要件は、マッピング決定を行うことを支援するために使用されることができる。ＰＣＲＦ１２６へのマッピングサービスのインターフェースは、参考文献３ＧＰＰ  ＴＳ  ２９．２１１，Ｒｘ  Ｉｎｔｅｒｆａｃｅ  ａｎｄ  Ｒｘ／Ｇｘ  Ｓｉｇｎａｌｉｎｇ  Ｆｌｏｗｓに定義されたＲｘインターフェースに基づき得る。代替として、マッピングサービスは、ＳＣＥＦとのインターフェースを介して、ＰＣＲＦ１２６と通信し得る。ＳＣＥＦは、ＰＣＲＦ１２６とのＲｘインターフェースをサポートし得る。
【００７２】
ＵＥ１０４またはＭＭＥ１２０が、ＵＥ１０４がもはやローカルＰＤＮ接続３０６を維持すべきでないことを決定すると、ＭＭＥ１２０は、マッピングサービス３０２がもはやＵＥ１０４をローカルコンテンツにリダイレクトすべきでないことをマッピングサービス３０２が把握するように、マッピングサービス３０２に通知する。既存のＵＥ１０４またはＭＭＥ１２０要求ＰＤＮ切断プロシージャが、ＰＤＮ接続３０６を終了するために使用される。
【００７３】
図６に図示されるステップを行うエンティティは、図１１または図１２に図示されるもの等、ネットワークノードまたはコンピュータシステムのメモリ内に記憶され、そのプロセッサ上で実行するソフトウェア（すなわち、コンピュータ実行可能命令）の形態で実装され得る論理エンティティであることを理解されたい。すなわち、図６に図示される方法は、図１１または図１２に図示されるノードもしくはコンピュータシステム等のネットワークノードのメモリ内に記憶されるソフトウェア（すなわち、コンピュータ実行可能命令）の形態で実装され得、そのコンピュータ実行可能命令は、ノードのプロセッサによって実行されると、図６に図示されるステップを行う。図６に図示される任意の伝送および受信ステップは、ノードのプロセッサならびにそれが実行するコンピュータ実行可能命令（例えば、ソフトウェア）の制御下でノードの通信回路によって行われ得ることも理解されたい。
【００７４】
図７は、ＵＥ１０４が、Ｌ−ＧＷへのアクセスを有していないＳＣ−ＡＰ（図示せず）に移動するときにＰＤＮ接続３０６を終了することを図示する、略図である。
【００７５】
図７のステップ１では、エッジサーバ３０８におけるローカルキャッシュにアクセスするために使用されるＰＤＮ接続３０６を切断する決定が、行われる。ＵＥ１０４またはＭＭＥ１２０は、ＵＥがもはやローカルＰＤＮ接続３０６を維持すべきでないことを決定する。この決定は、ＵＥ１０４が、ローカルＧＷ１３０にアクセスすることができないセルに移動しているか、または移動し得ることを示すＴＡＵによってトリガされ得る。代替として、マッピングサービス３０２が、ＵＥ１０４がローカルＰＤＮ接続を切断することを決定するか、またはＭＭＥ１２０に推奨し得る。マッピングサービス３０２は、ＵＥ１０４が、最近、ローカルネットワークにリダイレクトされておらず、したがって、最近、キャッシュを利用していないので、これを行うことを決定し得る。
【００７６】
図７のステップ２では、ＭＭＥ１２０は、マッピングサービス３０２に、ＵＥ１０４がもはやローカルネットワークへのアクセスを有していないことを示す。この指示は、ＭＭＥ１２０によって、新しいインターフェース上で、新しいメッセージである、加入者ローカルアクセス通知を介して、マッピングサービス３０２に送信される。新しいインターフェースは、ＭＭＥ１２０とマッピングサービス３０２との間にある。この新しいメッセージは、以下の情報を搬送し得る。
−加入識別子、すなわち、ＩＭＳＩ
−ＡＰＮ名／ＰＤＮ接続ＩＤ−ＡＰＮまたはＰＤＮ接続の名称
−Ｌ−ＧＷアドレスまたはＬＨＮ−ＩＤ−ＵＥが切断されるＬ−ＧＷまたはＬＨＮ。
−メッセージは、ＵＥがもはやアクセスを有していないであろうエッジサーバのＩＰアドレスを含み得る。
【００７７】
図７のステップ３では、マッピングサービス３０２は、ＭＭＥ１２０に、加入者ローカルアクセス応答メッセージを介して、肯定応答で応答する。
【００７８】
図７のステップ４では、「ＵＥまたはＭＭＥ開始ＰＤＮ切断プロシージャ」が、参考文献３ＧＰＰ  ＴＳ  ２４．３０１の第５．１０．３節に説明されるように実行され、この接続を確立する。
【００７９】
例示的実施形態は、ＡＰＮ構成変更を含むことができる。「Ｅ−ＵＴＲＡＮ初期アタッチ」プロシージャ中、ＭＭＥ１２０は、ＨＳＳ１２２に、「場所更新要求」メッセージを送信し、ＨＳＳ１２２は、「場所更新回答」メッセージで応答する。「場所更新回答」メッセージは、ＵＥの加入情報をＭＭＥ１２０に送信するために使用される。このやりとりは、Ｓ６ａインターフェース上で生じる。（類似やりとりは、Ｓ６ｄインターフェース上でＳＧＳＮとＨＳＳとの間のＵＴＲＡＮで生じる。）「場所更新回答」は、ＡＰＮ−構成属性−値対（ＡＶＰ）を含む。このＡＶＰは、ＵＥの各加入ＡＰＮに対する許可された構成を説明し、３ＧＰＰ  ＴＳ  ２９．２７２の第７．３．３５節に定義されている。このＡＶＰは、ＵＥ１０４が、ローカルネットワーク１２８上でエッジサーバ３０８からキャッシュされたコンテンツにアクセス可能である場合をサポートするために拡張される。
【００８０】
ローカルネットワーク内にキャッシュされているデータを有し得る各ＡＰＮに対して、ＡＰＮ−構成ＡＶＰは、以下の情報を搬送することができる。
−キャッシュアクセス可能。このフラグは、ＭＭＥ１２０に、ＵＥ１０４がこのＡＰＮに接続された場合、キャッシュサービスをこのＡＰＮに提供するローカルネットワークに接続するようにＵＥ１０４をダイレクトする機会をＭＭＥ１２０が探すべきであることを示す。
−ＳＩＰＴＯ−ローカルネットワーク許可。この既存のＡＶＰは、現在、２つの値、すなわち、「ローカルネットワークにおけるＳＩＰＴＯ許可」および「ローカルネットワークにおけるＳＩＰＴＯ不可」のうちの一方をとることができる。このＡＶＰは、「ローカルネットワークにキャッシュされたコンテンツにおけるＳＩＰＴＯ専用」と呼ばれる新しい値をとること可能にされることが提案される。この値は、ＳＩＰＴＯ＠ＬＮ  ＰＤＮ接続が、ＰＤＮ接続のために使用されることが許可されないことを示すために使用される。しかしながら、ＳＩＰＴＯ＠ＬＮ  ＰＤＮ接続は、同時に、キャッシュされたコンテンツを読み出すためにこのＰＤＮ接続とともに使用され得る。
−キャッシュされたコンテンツへのアクセスを提供する、Ｌ−ＧＷアドレス、ＬＨＮ−ＩＤ、または追跡エリア識別（ＴＡＩ）リスト
マッピングサービスがリダイレクト応答を発行すると、Ｐ−ＧＷ１１６は、例えば、ＩＰソースアドレス、ＩＰ宛先アドレス、ソースポート番号、宛先ポート番号等に基づいて、パケットフィルタを使用して、応答がマッピングサービスからであることを検出し得る。Ｐ−ＧＷ１１６は、このトラフィックに対してＵＥ１０４に課金しないように構成され得る。言い換えると、リダイレクト応答は、勘定され、オンライン課金システム（ＯＣＳ）に送信する任意のダウンリンクビットカウント内に含まれない場合がある。
【００８１】
前述のように、マッピングサービス３０２は、ＵＥ１０４をリダイレクトし得るＨＴＴＰプロキシであることができる。代替として、マッピングサービス３０２は、ＤＮＳサーバの一部であり得る。ＵＥ１０４がＤＮＳルックアップを行うとき、応答は、ＵＥ１０４がローカルキャッシュサーバへのアクセスを有するかどうかに基づくことができる。ＵＥ１０４が、ローカルキャッシュ内に表されるＵＲＬをルックアップしている場合、ＤＮＳサーバは、ＵＥ１０４に応答し、それをローカルキャッシュにリダイレクトすることができる。
【００８２】
本実施形態では、ＤＮＳ記録は、２つのＩＰアドレス（例えば、１つは、ローカルネットワーク内のアドレスであり、１つは、オリジナルコンテンツサーバ内のアドレスである）に対して解決する。マッピングサービス（ＤＮＳサーバ）は、要求側がエッジサーバへのアクセスを有するかどうかに基づいて、ＵＲＬを解決するために使用されるべきＩＰアドレスを決定する。マッピングサービス（ＤＮＳサーバ）が、要求側がエッジサーバへのアクセスを有することを通知されるプロシージャは、図４に示される。
【００８３】
マッピングサービス３０２がＨＴＴＰプロキシまたはＤＮＳサーバとして実装されるかどうかにかかわらず、マッピングサービス３０２は、ＰＣＲＦへのＲｘまたはＳｄインターフェース、ＨＳＳへのＭｈインターフェース、ならびにＭＭＥ１２０および／またはＰ−ＧＷ１１６とのインターフェースを伴う３ＧＰＰアプリケーション機能（ＡＦ）またはアプリケーションサーバ（ＡＳ）もしくはＴＤＦとして実装されることができる。
【００８４】
図３のアーキテクチャでは、ＵＥ１０４が、エッジサーバから、他のウェブページにリンクするＵＲＬを含むウェブページをダウンロードし得るシナリオが、存在する。リンクへのアクセスは、ＵＥ１０４に、コンテンツに対する要求をインターネット上のオリジナルコンテンツサーバに送信させ得る。要求されるコンテンツが、ローカルネットワークにもある場合、マッピングサービスは、再び、ＵＥ１０４をキャッシュされたコンテンツにリダイレクトし得る。コンテンツに対する全オリジナル要求がＭＣＮ１０２およびマッピングサーバ３０２を通してルーティングされるという事実は、ＭＣＮ１０２が、全アクティビティを記録し、ユーザ制限を施行することを可能にするという意味において有利である。しかしながら、ＭＣＮ１０２トラフィックは、ＵＲＬがローカルコンテンツを指し示し得るように、ローカルネットワークがキャッシュされたコンテンツを修正可能である場合、さらに低減され得る。
【００８５】
図７に図示されるステップを行うエンティティは、図１１または図１２に図示されるもの等、ネットワークノードまたはコンピュータシステムのメモリ内に記憶され、そのプロセッサ上で実行するソフトウェア（すなわち、コンピュータ実行可能命令）の形態で実装され得る論理エンティティであることを理解されたい。すなわち、図７に図示される方法は、図１１または図１２に図示されるノードもしくはコンピュータシステム等のネットワークノードのメモリ内に記憶されるソフトウェア（すなわち、コンピュータ実行可能命令）の形態で実装され得、そのコンピュータ実行可能命令は、ノードのプロセッサによって実行されると、図７に図示されるステップを行う。図４に図示される任意の伝送および受信ステップは、ノードのプロセッサならびにそれが実行するコンピュータ実行可能命令（例えば、ソフトウェア）の制御下でノードの通信回路によって行われ得ることも理解されたい。
【００８６】
図８は、Ｐ−ＧＷ１１６後のモバイルコアネットワーク１０２内に位置するマッピングサービス３０２と、ローカルネットワーク１２８内に位置する追加の随意のローカルマッピングサービス８０２とを伴う、実施形態を図示する、略図である。
【００８７】
ＭＣＮ１０２内のマッピングサービス３０２の目的は、コンテンツに対するＵＥ要求をマップし、適宜、ＵＥ１０４をリダイレクトすることである。しかしながら、ローカルマッピングサービス８０２も、ＵＥ１０４に提供されるＵＲＬを再マップするために、ローカルネットワーク内に提供され得る。例えば、ＵＥ１０４がウェブページをローカルエッジサーバ３０８からダウンロードする場合を検討する。ウェブページは、インターネット内にあるＩＰアドレスを指し示すＵＲＬを含み得る。しかしながら、ＵＲＬによって指し示されるコンテンツは、エッジサーバ３０８内にもあり得る。これが当てはまる場合、ローカルマッピングサービスは、ローカルネットワーク１２８内のキャッシュされたコンテンツにマップするように、ＵＥ１０４に提供されるＵＲＬを修正することを可能にされ得る。
【００８８】
このローカルマッピングサービス８０２は、ユーザが許可されていないコンテンツにリダイレクトされることを防止するように、ペアレンタルコントロール等のユーザ関連ポリシーにアクセスすることが要求され得ることに留意されたい。
【００８９】
図８に図示される機能性は、以下に説明される図１１または１２に図示されるもの等、Ｍ２Ｍネットワーク（例えば、サーバ、ゲートウェイ、デバイス、または他のコンピュータシステム）のノードのメモリ内に記憶され、そのプロセッサ上で実行するソフトウェア（すなわち、コンピュータ実行可能命令）の形態で実装され得ることを理解されたい。
【００９０】
図９は、Ｐ−ＧＷ後のモバイルコアネットワーク１０２内に位置するマッピングサービス３０２と、エッジサーバ９０４を保持する特殊ＰＤＮ９０２とを伴う、実施形態を図示する略図である。エッジサーバ９０４は、ＰＤＮの１１８および９０２へのアクセスを提供するＰ−ＧＷ１１６および９０６に物理的に近い。
【００９１】
ＵＥ１０４は、「インターネット」ＰＤＮ１１８への第１のＰＤＮ接続を有し得る。ＵＥ１０４がアクセスするコンテンツは、「インターネット」ＰＤＮ１１８内に常駐するが、ＵＥ１０４から非常に離れている場合がある。インターネットサービスプロバイダ（ＩＳＰ）ピアリング契約に応じて、コンテンツは、ＭＮＯのＰ−ＧＷ１１６に到達する前に、多くのネットワークをトラバースする必要があり得る。したがって、ユーザが短待ち時間接続を得ることが不可能であり得る。
【００９２】
ＵＥ１０４は、エッジサーバ９０４を含むＭＮＯ動作ＰＤＮ９０２への第２のＰＤＮ接続を維持し得る。ＵＥ１０４が、両ＰＤＮ接続を維持する場合、第１のＰＤＮ接続に関連付けられたマッピングサービス３０２は、ＵＥ１０４をＰＤＮ９０２のエッジサーバ９０４内に記憶されたキャッシュされたコンテンツにリダイレクトし得る。
【００９３】
マッピングサービス３０２等のディープ・パケット・インスペクション機能またはトラフィック検出機能は、ＵＥ１０４が、ＭＮＯのエッジサーバ９０４内で利用可能なデータにアクセスしようとしていることを検出するか、またはそれを予期し得る。ＵＥの能力および加入者の許可に基づいて、ＵＥ１０４が第２のＰＤＮ接続を確立することをコマンドまたは要求する決定が、行われ得る。第２のＰＤＮ接続は、ＵＥ１０４に、エッジサーバ９０４へのアクセスを与える。
【００９４】
図５のコールフローのステップ２および３は、ＭＭＥが新しいＰＤＮサービス広告要求メッセージをＵＥに送信し、ＵＥが新しいＰＤＮサービス広告応答メッセージでＭＭＥに応答することを示す。図５に対して、第２のＰＤＮ接続を確立する決定が、ＵＥの場所およびスモールセルネットワーク内のエッジサーバの利用可能性に主に基づいていたので、ＭＭＥ１２０がこのメッセージを発することが提案された。図９の実施形態では、第２のＰＤＮ接続を確立する決定は、Ｐ−ＧＷ機能の出力に対して行われるディープ・パケット・インスペクションの結果に主に基づく。したがって、この節では、Ｐ−ＧＷ１１６は、新しいＰＤＮサービス広告要求メッセージをＵＥ１０４に（ＭＭＥ１２０またはＳ−ＧＷ１１４を介して）送信することが可能にされ、ＵＥ１０４は、Ｐ−ＧＷ１１６（ＭＭＥ１２０またはＳ−ＧＷ１１４を介して）に新しいＰＤＮサービス広告応答メッセージで応答し得ることが提案される。Ｐ−ＧＷ１１６からのＰＤＮサービス広告要求メッセージは、エッジサーバ９０４にアクセスするために使用され得るＡＰＮをＵＥ１０４に示す。この新しいメッセージは、ＮＡＳモビリティ管理メッセージと見なされ得る。Ｐ−ＧＷ１１６は、マッピングサービス３０２からのメッセージに基づいて、ＰＤＮサービス広告要求メッセージを送信することを把握し得る。マッピングサービス３０２は、ＳＣＥＦを介して、メッセージをＰ−ＧＷに送信し得る。
【００９５】
図４のコールフローのステップ５および６は、ＭＭＥ１２０が新しい加入者ローカルアクセス通知メッセージをマッピングサービスに送信し、マッピングサービスがＭＭＥ１２０に加入者ローカルアクセス応答メッセージで応答することを示す。第５．１．２節では、ＭＭＥ１２０が第２のＰＤＮ接続の確立を調整するエンティティであったので、このメッセージを発することが提案された。したがって、本実施形態では、Ｐ−ＧＷ１１６（ＭＭＥ１２０またはＳ−ＧＷ１１４を介して）が、新しいローカルアクセス通知メッセージをマッピングサービス３０２に送信することが可能にされ、マッピングサービス３０２が、Ｐ−ＧＷ１１６（ＭＭＥ１２０またはＳ−ＧＷ１１４を介して）に新しいＰＤＮ加入者ローカルアクセス応答メッセージで応答し得ることが提案される。
【００９６】
エッジサーバ９０４を第１のＰＤＮ１１８と別個の第２のＰＤＮ９０２内に置くことによって、ＭＮＯは、インターネットトラフィックおよびエッジサーバ９０４からの高容量ダウンロードが、同一のＭＣＮリソースに対して競合しないように、そのＭＣＮ１０２を構築することができる。例えば、ＰＤＮ１１８および９０２は、同一のＰ−ＧＷリソースに対して競合する必要がない。
【００９７】
図３のアーキテクチャと比較して、図９のアーキテクチャは、ＭＣＮ１０２が全ＵＥトラフィックの完全可視性を有するという利点を有する。したがって、全トラフィックがＭＣＮ１０２をトラバースするので、ＵＥ１０４の課金インフラストラクチャが完全に利用されることができる。
【００９８】
図９に図示されるステップを行うエンティティは、図１１または図１２に図示されるもの等、ネットワークノードまたはコンピュータシステムのメモリ内に記憶され、そのプロセッサ上で実行するソフトウェア（すなわち、コンピュータ実行可能命令）の形態で実装され得る論理エンティティであり得ることを理解されたい。すなわち、図９に図示される方法は、図１１または図１２に図示されるノードもしくはコンピュータシステム等のネットワークノードのメモリ内に記憶されるソフトウェア（すなわち、コンピュータ実行可能命令）の形態で実装され得、そのコンピュータ実行可能命令は、ノードのプロセッサによって実行されると、図９に図示されるステップを行う。図４に図示される任意の伝送および受信ステップは、ノードのプロセッサならびにそれが実行するコンピュータ実行可能命令（例えば、ソフトウェア）の制御下でノードの通信回路によって行われ得ることも理解されたい。
【００９９】
グラフィカルユーザインターフェース（ＧＵＩ）等のインターフェースが、ユーザがローカルコンテンツリダイレクトに関連する機能性を制御および／または構成するのを補助するために使用されることができる。図１０は、ユーザが、データ１００４を表示し、データ１００６を更新することを可能にするインターフェース１００２を図示する略図である。例えば、図４のステップ４に関して前述のデータ（オリジナルコンテンツ３１４のＵＲＬ、キャッシュされたコンテンツのＵＲＬおよびエッジサーバのローカルＩＰアドレス、コンテンツがキャッシュされているローカルデバイスの名称、ならびにこのコンテンツに関連付けられたＡＰＮの名称）が、ＧＵＩ１００２を使用してアクセスおよび更新されることができる。ＧＵＩ１００２は、同様に、そのようなデータを検索可能であることができる。ＧＵＩ１００８は、ＵＥにおけるユーザが、図４のステップ２等の間、ローカルコンテンツリダイレクトを可能にするかどうかを選択することを可能にするために使用されることができる。
【０１００】
インターフェース１００２および他のそのようなインターフェースは、以下に説明される図１１および１２に示されるもの等のディスプレイを使用して生成されることができることを理解されたい。
【０１０１】
図１１は、ＵＥ（例えば、図１−３および５−９におけるＵＥ１０４ならびに２１０）または他のエンドノードデバイス等の例示的ノード３０の略図である。エンドノード３０は、ユーザ機器１０４を含む本明細書に開示される要素のいずれかを実装するために使用されることができる。
【０１０２】
ノード３０は、マッピングサービス３０２、ユーザ機器１０４における論理エンティティ、データ収集および分析３１４、エッジサーバ３０８および９０４、ＳＣ−ＡＰ１０６、Ｌ−ＧＷ１３０、ＳｅＧＷ１０８、ＳＣ−ＧＷ１１２、Ｓ−ＧＷ１１４、Ｐ−ＧＷ１１６、ＨＳＳ１２２、ＭＭＥ１２０、ＰＣＲＦ１２６、管理ポータル３１０、およびローカルマッピングサービス８０２等の論理エンティティ、ならびにグラフィカルユーザインターフェース１００２および１００８グラフィカルインターフェースのため等の論理エンティティを実行するか、または含むことができる。デバイス３０は、Ｍ２Ｍネットワークの一部または非Ｍ２Ｍネットワークの一部であることができる。図１１に示されるように、エンドノード３０は、プロセッサ３２と、非取り外し可能なメモリ４４と、取り外し可能なメモリ４６と、スピーカ／マイクロホン３８と、キーパッド４０と、ディスプレイ、タッチパッド、および／またはインジケータ４２と、電源４８と、全地球測位システム（ＧＰＳ）チップセット５０と、他の周辺機器５２とを含み得る。ノード３０はまた、送受信機３４および伝送／受信要素３６等の通信回路を含み得る。ノード３０は、実施形態と一致したままで、先述の要素の任意の部分組み合わせを含み得ることが理解されるであろう。このノードは、本明細書に説明されるＳＭＳＦ機能性を実装するノードであり得る。
【０１０３】
プロセッサ３２は、汎用プロセッサ、特殊目的プロセッサ、従来のプロセッサ、デジタル信号プロセッサ（ＤＳＰ）、複数のマイクロプロセッサ、ＤＳＰコアと関連する１つ以上のマイクロプロセッサ、コントローラ、マイクロコントローラ、特定向け集積回路（ＡＳＩＣ）、フィールドプログラマブルゲートアレイ（ＦＰＧＡ）回路、任意の他のタイプの集積回路（ＩＣ）、状態マシン等であり得る。一般に、プロセッサ３２は、ノードの種々の要求される機能を果たすために、ノードのメモリ（例えば、メモリ４４および／またはメモリ４６）内に記憶されるコンピュータ実行可能命令を実行し得る。例えば、プロセッサ３２は、信号符号化、データ処理、電力制御、入出力処理、および／またはエンドノード３０が無線もしくは有線環境内で動作することを可能にする任意の他の機能性を行い得る。プロセッサ３２は、アプリケーション層プログラム（例えば、ブラウザ）および／または無線アクセス層（ＲＡＮ）プログラムおよび／または他の通信プログラムを起動させ得る。プロセッサ３２はまた、例えば、アクセス層および／またはアプリケーション層等で、認証、セキュリティキー一致、および／または暗号化動作等のセキュリティ動作を行い得る。
【０１０４】
図１１に示されるように、プロセッサ３２は、その通信回路（例えば、送受信機３４および伝送／受信要素３６）に連結される。プロセッサ３２は、ノード３０に、それが接続されるネットワークを介して他のノードと通信させるために、コンピュータ実行可能命令の実行を通して、通信回路を制御し得る。特に、プロセッサ３２は、本明細書および請求項に説明される伝送ならびに受信ステップを行うために、通信回路を制御し得る。図１１は、プロセッサ３２および送受信機３４を別個の構成要素として描写するが、プロセッサ３２および送受信機３４は、電子パッケージまたはチップ内にともに統合され得ることが理解されるであろう。
【０１０５】
伝送／受信要素３６は、Ｍ２Ｍサーバ、ゲートウェイ、デバイス等を含む、他のノードに信号を伝送する、またはそこから信号を受信するように構成され得る。例えば、ある実施形態では、伝送／受信要素３６は、ＲＦ信号を伝送および／または受信するように構成されるアンテナであり得る。伝送／受信要素３６は、ＷＬＡＮ、ＷＰＡＮ、セルラー等の種々のネットワークならびにエアインターフェースをサポートし得る。ある実施形態では、伝送／受信要素３６は、例えば、ＩＲ、ＵＶ、または可視光信号を伝送および／または受信するように構成されるエミッタ／検出器であり得る。さらに別の実施形態では、伝送／受信要素３６は、ＲＦおよび光信号の両方を伝送ならびに受信するように構成され得る。伝送／受信要素３６は、無線または有線信号の任意の組み合わせを伝送および／または受信するように構成され得ることが理解されるであろう。
【０１０６】
加えて、伝送／受信要素３６は、単一の要素として図１１に描写されているが、ノード３０は、任意の数の伝送／受信要素３６を含み得る。より具体的には、ノード３０は、ＭＩＭＯ技術を採用し得る。したがって、ある実施形態では、ノード３０は、無線信号を伝送および受信するための２つ以上の伝送／受信要素３６（例えば、複数のアンテナ）を含み得る。
【０１０７】
送受信機３４は、伝送／受信要素３６によって伝送される信号を変調するように、および伝送／受信要素３６によって受信される信号を復調するように構成され得る。上記のように、ノード３０は、マルチモード能力を有し得る。したがって、送受信機３４は、ノード３０が、例えば、ＵＴＲＡおよびＩＥＥＥ８０２．１１等の複数のＲＡＴを介して通信することを可能にするための複数の送受信機を含み得る。
【０１０８】
プロセッサ３２は、非取り外し可能なメモリ４４および／または取り外し可能なメモリ４６等の任意のタイプの好適なメモリから情報にアクセスし、その中にデータを記憶し得る。例えば、プロセッサ３２は、前述のように、セッションコンテキストをそのメモリ内に記憶し得る。非取り外し可能なメモリ４４は、ランダムアクセスメモリ（ＲＡＭ）、読み取り専用メモリ（ＲＯＭ）、ハードディスク、または任意の他のタイプのメモリ記憶デバイスを含み得る。取り外し可能なメモリ４６は、加入者識別モジュール（ＳＩＭ）カード、メモリスティック、セキュアデジタル（ＳＤ）メモリカード等を含み得る。他の実施形態では、プロセッサ３２は、サーバまたはホームコンピュータ上等、ノード３０上に物理的に位置しないメモリから情報にアクセスし、その中にデータを記憶し得る。プロセッサ３２は、ディスプレイまたはインジケータ４２上の照明パターン、画像、または色を制御し、Ｍ２Ｍサービス層セッション移行または共有のステータスを反映させること、または、ユーザから入力を得ること、もしくはノードのセッション移行または共有能力もしくは設定についての情報をユーザに表示することを行うように構成され得る。別の実施例では、ディスプレイは、セッション状態に関する情報を示し得る。本開示は、ｏｎｅＭ２Ｍ実施形態でＲＥＳＴｆｕｌユーザ／アプリケーションＡＰＩを定義する。ディスプレイ上に示され得る、グラフィカルユーザインターフェースは、ＡＰＩの上部に層化され、ユーザが、本明細書に説明される下層サービス層セッション機能性を介して、Ｅ２Ｅセッションまたはその移行もしくは共有を双方向に確立および管理することを可能にし得る。
【０１０９】
プロセッサ３２は、電源４８から電力を受け取り得、ノード３０内の他の構成要素への電力を分配および／または制御するように構成され得る。電源４８は、ノード３０に給電するための任意の好適なデバイスであり得る。例えば、電源４８は、１つ以上の乾電池バッテリ（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）等）、太陽電池、燃料電池等を含み得る。
【０１１０】
プロセッサ３２はまた、ノード３０の現在の場所に関する場所情報（例えば、経度および緯度）を提供するように構成され得るＧＰＳチップセット５０に連結され得る。ノード３０は、実施形態と一致したままで、任意の好適な場所決定方法を介して場所情報を獲得し得ることが理解されるであろう。
【０１１１】
プロセッサ３２はさらに、追加の特徴、機能性、および／または有線もしくは無線接続を提供する、１つ以上のソフトウェアおよび／またはハードウェアモジュールを含み得る、他の周辺機器５２に連結され得る。例えば、周辺機器５２は、加速度計、ｅ−コンパス、衛星送受信機、センサ、デジタルカメラ（写真またはビデオ用）、ユニバーサルシリアルバス（ＵＳＢ）ポート、振動デバイス、テレビ送受信機、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ等を含み得る。
【０１１２】
図１２は、Ｍ２Ｍサーバ、ゲートウェイ、デバイス、または他のノード等、Ｍ２Ｍネットワークの１つ以上のノードを実装するためにも使用され得る例示的コンピューティングシステム９０のブロック図である。コンピューティングシステム９０は、コンピュータまたはサーバを備え得、主に、ソフトウェアの形態であり得るコンピュータ読み取り可能な命令によって制御され得、どこでもまたはどのような手段を用いても、そのようなソフトウェアが記憶またはアクセスされる。コンピューティングシステム９０は、マッピングサービス３０２、ユーザ機器１０４における論理エンティティ、データ収集および分析３１４、エッジサーバ３０８および９０４、ＳＣ−ＡＰ１０６、Ｌ−ＧＷ１３０、ＳｅＧＷ１０８、ＳＣ−ＧＷ１１２、Ｓ−ＧＷ１１４、Ｐ−ＧＷ１１６、ＨＳＳ１２２、ＭＭＥ１２０、ＰＣＲＦ１２６、管理ポータル３１０、およびローカルマッピングサービス８０２等の論理エンティティ、および、グラフィカルユーザインターフェース１００２および１００８等のグラフィカルインターフェースのための論理エンティティ等を実行するか、または含むことができる。コンピューティングシステム９０は、Ｍ２Ｍデバイス、ユーザ機器、ゲートウェイ、ＵＥ／ＧＷ、または、例えば、モバイルコアネットワーク、サービス層ネットワークアプリケーションプロバイダ、端末デバイス１８、もしくはＭ２Ｍゲートウェイデバイス１４のノードを含む任意の他のノードであり得る。そのようなコンピュータ読み取り可能な命令は、コンピューティングシステム９０を稼働させるように、中央処理装置（ＣＰＵ）９１等のプロセッサ内で実行され得る。多くの既知のワーク基地局、サーバ、およびパーソナルコンピュータでは、中央処理装置９１は、マイクロプロセッサと呼ばれる単一チップＣＰＵによって実装される。他の機械では、中央処理装置９１は、複数のプロセッサを備え得る。コプロセッサ８１は、追加の機能を果たすか、またはＣＰＵ９１を支援する、主要ＣＰＵ９１とは明確に異なる、随意的なプロセッサである。ＣＰＵ９１および／またはコプロセッサ８１は、セッション証明書の受信またはセッション証明書に基づく認証等、Ｅ２Ｅ  Ｍ２Ｍサービス層セッションのための開示されるシステムおよび方法に関連するデータを受信、生成、ならびに処理し得る。
【０１１３】
動作時、ＣＰＵ９１は、命令をフェッチ、復号、および実行し、コンピュータの主要データ転送パスであるシステムバス８０を介して、情報を他のリソースへ、およびそこから転送する。そのようなシステムバスは、コンピューティングシステム９０内の構成要素を接続し、データ交換のための媒体を定義する。システムバス８０は、典型的には、データを送信するためのデータラインと、アドレスを送信するためのアドレスラインと、割り込みを送信するため、およびシステムバスを動作するための制御ラインとを含む。そのようなシステムバス８０の実施例は、ＰＣＩ（周辺構成要素相互接続）バスである。
【０１１４】
システムバス８０に連結されるメモリは、ランダムアクセスメモリ（ＲＡＭ）８２と、読み取り専用メモリ（ＲＯＭ）９３とを含む。そのようなメモリは、情報が記憶され、読み出されることを可能にする回路を含む。ＲＯＭ９３は、概して、容易に修正され得ない、記憶されたデータを含む。ＲＡＭ８２内に記憶されたデータは、ＣＰＵ９１または他のハードウェアデバイスによって読み取られるか、または変更され得る。ＲＡＭ８２および／またはＲＯＭ９３へのアクセスは、メモリコントローラ９２によって制御され得る。メモリコントローラ９２は、命令が実行されると、仮想アドレスを物理的アドレスに変換するアドレス変換機能を提供し得る。メモリコントローラ９２はまた、システム内のプロセスを隔離し、ユーザプロセスからシステムプロセスを隔離する、メモリ保護機能を提供し得る。したがって、第１のモードで作動するプログラムは、その独自のプロセス仮想アドレス空間によってマップされるメモリのみにアクセスすることができ、プロセス間のメモリ共有が設定されていない限り、別のプロセスの仮想アドレス空間内のメモリにアクセスすることはできない。
【０１１５】
加えて、コンピューティングシステム９０は、ＣＰＵ９１からプリンタ９４、キーボード８４、マウス９５、およびディスクドライブ８５等の周辺機器に命令を伝達する責任がある、周辺機器コントローラ８３を含み得る。
【０１１６】
ディスプレイコントローラ９６によって制御されるディスプレイ８６は、コンピューティングシステム９０によって生成される視覚出力を表示するために使用される。そのような視覚出力は、テキスト、グラフィックス、動画グラフィックス、およびビデオを含み得る。ディスプレイ８６は、ＣＲＴベースのビデオディスプレイ、ＬＣＤベースのフラットパネルディスプレイ、ガスプラズマベースのフラットパネルディスプレイ、またはタッチパネルを伴って実装され得る。ディスプレイコントローラ９６は、ディスプレイ８６に送信されるビデオ信号を生成するために要求される、電子構成要素を含む。
【０１１７】
さらに、コンピューティングシステム９０は、例えば、外部通信ネットワークにコンピューティングシステム９０を接続するために使用され得る、ネットワークアダプタ９７等の通信回路を含み、コンピューティングシステム９０が、ネットワークの他のノードと通信することを可能にし得る。
【０１１８】
本明細書で説明されるシステム、方法、およびプロセスのうちのいずれかまたは全ては、コンピュータ読み取り可能な記憶媒体上に記憶されたコンピュータ実行可能命令（すなわち、プログラムコード）の形態で具現化され得、その命令は、例えば、Ｍ２Ｍサーバ、ゲートウェイ、デバイス等を含むＭ２Ｍネットワークのノード等の機械によって実行されると、本明細書に説明されるシステム、方法、およびプロセスを行うならびに／または実装することが理解される。具体的には、ゲートウェイ、ＵＥ、ＵＥ／ＧＷ、またはモバイルコアネットワーク、サービス層、もしくはネットワークアプリケーションプロバイダのノードのうちのいずれかの動作を含む、前述の説明されるステップ、動作、または機能のうちのいずれかは、そのようなコンピュータ実行可能命令の形態で実装され得る。マッピングサービス３０２、ユーザ機器１０４における論理エンティティ、データ収集および分析３１４、エッジサーバ３０８および９０４、ＳＣ−ＡＰ１０６、Ｌ−ＧＷ１３０、ＳｅＧＷ１０８、ＳＣ−ＧＷ１１２、Ｓ−ＧＷ１１４、Ｐ−ＧＷ１１６、ＨＳＳ１２２、ＭＭＥ１２０、ＰＣＲＦ１２６、管理ポータル３１０、およびローカルマッピングサービス８０２等の論理エンティティ、および、グラフィカルユーザインターフェース１００２および１００８等のグラフィカルインターフェースのための論理エンティティ等は、コンピュータ読み取り可能な記憶媒体上に記憶されるコンピュータ実行可能命令の形態で具現化され得る。コンピュータ読み取り可能な記憶媒体は、情報の記憶のための任意の非一過性（すなわち、有形または物理的）方法または技術で実装される、揮発性および不揮発性、取り外し可能なおよび非取り外し可能な媒体の両方を含むが、そのようなコンピュータ読み取り可能な記憶媒体は、信号を含まない。コンピュータ読み取り可能な記憶媒体は、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光学ディスク記憶装置、磁気カセット、磁気テープ、磁気ディスク記憶装置もしくは他の磁気記憶デバイス、または所望の情報を記憶するために使用され得、コンピュータによってアクセスされ得る、任意の他の有形または物理的媒体を含むが、それらに限定されない。
【０１１９】
図に図示されるような本開示の主題の好ましい実施形態を説明する際に、明確にするために、具体的用語が採用される。しかしながら、請求される主題は、そのように選択された具体的用語に限定されることを意図しておらず、各具体的要素は、類似目的を達成するように同様に動作する、全ての技術的均等物を含むことを理解されたい。
【０１２０】
本明細書は、最良の様態を含む、本発明を開示するために、また、当業者が、任意のデバイスまたはシステムを作製して使用することと、任意の組み込まれた方法を行うこととを含む、本発明を実践することを可能にするために、実施例を使用する。本発明の特許性のある範囲は、請求項によって定義され、当業者に想起される他の実施例を含み得る。そのような他の実施例は、請求項の文字通りの言葉とは異ならない要素を有する場合に、または請求項の文字通りの言葉とのごくわずかな差異を伴う同等の要素を含む場合に、請求項の範囲内であることを意図している。
【図１】
2019024261.tif 000003
【図２】
2019024261.tif 000004
【図３】
2019024261.tif 000005
【図４】
2019024261.tif 000006
【図５】
2019024261.tif 000007
【図６】
2019024261.tif 000008
【図７】
2019024261.tif 000009
【図８】
2019024261.tif 000010
【図９】
2019024261.tif 000011
【図１０】
2019024261.tif 000012
【図１１】
2019024261.tif 000013
【図１２】
2019024261.tif 000014
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
第１のパケットデータネットワーク接続を用いて第１のパケットデータネットワークと通信するユーザ機器によって実行される方法であって、前記方法は、
モバイルコアネットワークからメッセージを受信することであって、前記メッセージは、前記ユーザ機器が、第２のパケットデータネットワーク接続を用いて第２のパケットデータネットワークからのデータにアクセスすることを示すものを含み、前記モバイルコアネットワークは、前記ユーザ機器からのデータ要求が前記第１のパケットデータネットワーク接続のアンカーに到達した後に、前記データ要求に基づいて前記メッセージを生成する、ことと、
前記第２のパケットデータネットワーク接続を用いて、前記第２のパケットデータネットワークに接続することと、
前記第２のパケットデータネットワーク接続を用いて、前記第２のパケットデータネットワークからのデータにアクセスすることと
を含む、方法。
【請求項２】
前記メッセージは、パケットデータネットワークサービス広告要求メッセージである、請求項１に記載の方法。
【請求項３】
前記パケットデータネットワークサービス広告要求メッセージは、セキュリティヘッダタイプ、サービス広告タイプ、アクセスポイント名称、パケットデータネットワークタイプのうちの１つ以上を示すものを含む、請求項２に記載の方法。
【請求項４】
応答を前記モバイルコアネットワークに送信することをさらに含み、前記応答は、前記メッセージが前記ユーザ機器によって受信されたことを示すものを含む、請求項１に記載の方法。
【請求項５】
前記第１のパケットデータネットワーク接続の前記アンカーは、パケットデータネットワークゲートウェイを含む、請求項１に記載の方法。
【請求項６】
前記モバイルコアネットワークからメッセージを受信することは、前記モバイルコアネットワークのモビリティ管理エンティティから前記メッセージを受信することを含む、請求項１に記載の方法。
【請求項７】
前記モバイルコアネットワークは、前記ユーザ機器の場所と前記ユーザ機器からのデータ要求のディープ・パケット・インスペクションとに少なくとも基づいて、前記データにアクセスするために、前記ユーザ機器が前記第２のパケットデータネットワーク接続を用いて前記第２のパケットデータネットワークに接続するべきであることを決定する、請求項１に記載の方法。
【請求項８】
第１のパケットデータネットワーク接続を用いて第１のパケットデータネットワークと通信するユーザ機器であって、
前記ユーザ機器は、プロセッサとメモリとを備え、
前記メモリは、コンピュータ実行可能な命令を記憶し、前記命令が前記プロセッサによって実行されると、
モバイルコアネットワークからメッセージを受信することであって、前記メッセージは、前記ユーザ機器が、第２のパケットデータネットワーク接続を用いて第２のパケットデータネットワークからのデータにアクセスすることを示すものを含み、前記モバイルコアネットワークは、前記ユーザ機器からのデータ要求が前記第１のパケットデータネットワーク接続のアンカーに到達した後に、前記データ要求に基づいて前記メッセージを生成する、ことと、
前記第２のパケットデータネットワーク接続を用いて、前記第２のパケットデータネットワークに接続することと、
前記第２のパケットデータネットワーク接続を用いて、前記第２のパケットデータネットワークからのデータにアクセスすることと
を含む動作を実行することを前記ユーザ機器に行わせる、ユーザ機器。
【請求項９】
前記メッセージは、パケットデータネットワークサービス広告要求メッセージである、請求項８に記載のユーザ機器。
【請求項１０】
前記パケットデータネットワークサービス広告要求メッセージは、セキュリティヘッダタイプ、サービス広告タイプ、アクセスポイント名称、パケットデータネットワークタイプのうちの１つ以上を示すものを含む、請求項９に記載のユーザ機器。
【請求項１１】
前記命令は、実行されると、応答を前記モバイルコアネットワークに送信することを含む動作を前記ユーザ機器にさらに行わせ、前記応答は、前記メッセージが前記ユーザ機器によって受信されたことを示すものを含む、請求項８に記載のユーザ機器。
【請求項１２】
前記第１のパケットデータネットワーク接続の前記アンカーは、パケットデータネットワークゲートウェイを含む、請求項８に記載のユーザ機器。
【請求項１３】
前記モバイルコアネットワークからメッセージを受信することは、前記モバイルコアネットワークのモビリティ管理エンティティから前記メッセージを受信することを含む、請求項８に記載のユーザ機器。
【請求項１４】
前記モバイルコアネットワークは、前記ユーザ機器の場所と前記ユーザ機器からのデータ要求のディープ・パケット・インスペクションとに少なくとも基づいて、前記データにアクセスするために、前記ユーザ機器が前記第２のパケットデータネットワーク接続を用いて前記第２のパケットデータネットワークに接続するべきであることを決定する、請求項８に記載のユーザ機器。
【請求項１５】
コンピュータ実行可能な命令を記憶するコンピュータ読み取り可能な記憶媒体であって、前記命令は、第１のパケットデータネットワーク接続を用いて第１のパケットデータネットワークと通信するユーザ機器のプロセッサによって実行されると、
モバイルコアネットワークからメッセージを受信することであって、前記メッセージは、前記ユーザ機器が、第２のパケットデータネットワーク接続を用いて第２のパケットデータネットワークからのデータにアクセスすることを示すものを含み、前記モバイルコアネットワークは、前記ユーザ機器からのデータ要求が前記第１のパケットデータネットワーク接続のアンカーに到達した後に、前記データ要求に基づいて前記メッセージを生成する、ことと、
前記第２のパケットデータネットワーク接続を用いて、前記第２のパケットデータネットワークに接続することと、
前記第２のパケットデータネットワーク接続を用いて、前記第２のパケットデータネットワークからのデータにアクセスすることと
を含む動作を実行することを前記ユーザ機器に行わせる、コンピュータ読み取り可能な記憶媒体。
【請求項１６】
前記メッセージは、パケットデータネットワークサービス広告要求メッセージである、請求項１５に記載のコンピュータ読み取り可能な記憶媒体。
【請求項１７】
前記パケットデータネットワークサービス広告要求メッセージは、セキュリティヘッダタイプ、サービス広告タイプ、アクセスポイント名称、パケットデータネットワークタイプのうちの１つ以上を示すものを含む、請求項１６に記載のコンピュータ読み取り可能な記憶媒体。
【請求項１８】
前記命令は、実行されると、応答を前記モバイルコアネットワークに送信することを含む動作を前記ユーザ機器にさらに行わせ、前記応答は、前記メッセージが前記ユーザ機器によって受信されたことを示すものを含む、請求項１５に記載のコンピュータ読み取り可能な記憶媒体。
【請求項１９】
前記モバイルコアネットワークからメッセージを受信することは、前記モバイルコアネットワークのモビリティ管理エンティティから前記メッセージを受信することを含む、請求項１５に記載のコンピュータ読み取り可能な記憶媒体。
【請求項２０】
前記モバイルコアネットワークは、前記ユーザ機器の場所と前記ユーザ機器からのデータ要求のディープ・パケット・インスペクションとに少なくとも基づいて、前記データにアクセスするために、前記ユーザ機器が前記第２のパケットデータネットワーク接続を用いて前記第２のパケットデータネットワークに接続するべきであることを決定する、請求項１５に記載のコンピュータ読み取り可能な記憶媒体。